(57)【要約】  本発明は、システム情報伝送方法、及び装置を開示した。当該方法は、端末が、専用制御シグナリングを使用して、前記端末が使用する必要がある第１のネットワーク側機器のシステム情報を要求することと、前記端末が、前記システム情報を受信することと含む。本発明の実施例によると、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
2019525520.tif 000002
【特許請求の範囲】
【請求項１】
システム情報伝送方法であって、
端末が、専用制御シグナリングを使用して、端末が使用する必要があるシステム情報を、ネットワーク側機器に要求することと、
前記端末が、前記システム情報を受信することと
を含む、システム情報伝送方法。
【請求項２】
前記ネットワーク側機器は、前記端末が現在アクセスしているソースネットワーク側機器であり、
前記端末が、専用制御シグナリングを使用して、端末が使用する必要があるシステム情報を、ネットワーク側機器に要求することは、
前記端末が、専用制御シグナリングを使用して、前記ソースネットワーク側機器に、前記システム情報を要求することを含み、
前記端末が、前記システム情報を受信することは、
前記端末が、前記ソースネットワーク側機器によって転送されたターゲットネットワーク側機器の前記システム情報を受信することを含み、
ここで、前記ターゲットネットワーク側機器は、前記端末が、前記ソースネットワーク側機器からハンドオーバーしようとしているネットワーク側機器であることを特徴とする
請求項１に記載の方法。
【請求項３】
前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含むことを特徴とする
請求項２に記載の方法。
【請求項４】
前記端末が、専用制御シグナリングを使用して、端末が使用する必要があるシステム情報を、ネットワーク側機器に要求することは、
前記端末が、ハンドオーバー完了メッセージを使用して、前記ネットワーク側機器の前記システム情報を、前記ネットワーク側機器に要求することを含み、
前記ハンドオーバー完了メッセージは、さらに、前記端末が前記ネットワーク側機器へハンドオーバーしたことを示すために用いられることを特徴とする
請求項１に記載の方法。
【請求項５】
前記端末が、前記システム情報を受信することは、
前記端末が、前記ネットワーク側機器によって送信された、前記システム情報が含まれる第１の再構成メッセージを受信することを含み、
前記第１の再構成メッセージは、さらに、前記ネットワーク側機器へハンドオーバーした後に、前記ネットワーク側機器との間の接続を変更するように、前記端末に指示するために用いられることを特徴とする
請求項１又は４に記載の方法。
【請求項６】
前記端末が、専用制御シグナリングを使用して、端末が使用する必要があるシステム情報を、ネットワーク側機器に要求することは、
前記端末が、接続再確立要求メッセージを使用して、前記ネットワーク側機器の前記システム情報を、前記ネットワーク側機器に要求することを含み、
前記接続再確立要求メッセージは、さらに、前記端末が、前記ネットワーク側機器との接続回復を要求するように構成されることを特徴とする
請求項１に記載の方法。
【請求項７】
前記端末が、前記システム情報を受信することは、
前記端末が、前記ネットワーク側機器によって送信された、前記システム情報が含まれる接続再確立メッセージを受信することを含み、
前記接続再確立メッセージは、前記ネットワーク側機器との接続を再び確立するように、前記端末に指示するために用いられることを特徴とする
請求項１又は６に記載の方法。
【請求項８】
前記端末が、専用制御シグナリングを使用して、端末が使用する必要があるシステム情報を、ネットワーク側機器に要求することは、
前記端末が、接続再確立完了メッセージを使用して、前記ネットワーク側機器の前記システム情報を、前記ネットワーク側機器に要求することを含み、
前記接続再確立完了メッセージは、さらに、前記端末が、前記ネットワーク側機器との接続回復の確立を完了したことを示すために用いられることを特徴とする
請求項１に記載の方法。
【請求項９】
前記端末が、前記システム情報を受信することは、
前記端末が、前記ネットワーク側機器によって送信された、前記システム情報が含まれる第２の再構成メッセージを受信することを含み、
前記第２の再構成メッセージは、さらに、前記ネットワーク側機器との接続を確立した後に、前記ネットワーク側機器との間の接続を変更するように、前記端末に指示するために用いられることを特徴とする
請求項１又は８に記載の方法。
【請求項１０】
前記端末が使用する必要があるシステム情報は、前記端末が更新する必要があるシステム情報を含むことを特徴とする
請求項１〜９のいずれか１項に記載の方法。
【請求項１１】
システム情報伝送方法であって、
ネットワーク側機器が、端末が専用制御シグナリングを使用して要求した、前記端末が使用する必要があるシステム情報を受信することと、
前記ネットワーク側機器が、前記システム情報を、前記端末に送信することと
を含む、システム情報伝送方法。
【請求項１２】
前記ネットワーク側機器は、前記端末が現在アクセスしているソースネットワーク側機器であり、
前記ネットワーク側機器が、前記システム情報を、前記端末に送信する前に、
前記ネットワーク側機器が、前記専用制御シグナリングを、ターゲットネットワーク側機器に送信することと、
前記ネットワーク側機器が、前記ターゲットネットワーク側機器が送信した前記システム情報を受信することとをさらに含み、
ここで、前記ターゲットネットワーク側機器は、前記端末がハンドオーバーしようとするネットワーク側機器であり、
前記ネットワーク側機器が、前記システム情報を、前記端末に送信することは、
前記ネットワーク側機器が、前記システム情報を、前記端末に送信することを含むことを特徴とする
請求項１１に記載の方法。
【請求項１３】
前記ネットワーク側機器は、前記端末が現在アクセスしているソースネットワーク側機器であり、
前記ネットワーク側機器が、前記システム情報を、前記端末に送信する前に、
前記ネットワーク側機器が、前記システム情報の識別子を、ターゲットネットワーク側機器に送信するとと、
前記ネットワーク側機器が、前記ターゲットネットワーク側機器が送信した前記システム情報を受信することとをさらに含み、
ここで、前記ターゲットネットワーク側機器は、前記端末がハンドオーバーしようとするネットワーク側機器であり、前記システム情報は、前記ネットワーク側機器が前記システム情報の識別子に基づいて確定したものであり、
前記ネットワーク側機器が、前記システム情報を、前記端末に送信することは、
前記ネットワーク側機器が、前記システム情報を、前記端末に送信することを含むことを特徴とする
請求項１１に記載の方法。
【請求項１４】
前記専用制御シグナリングは、測定報告を含み、前記測定報告は、前記端末が前記ターゲットネットワーク側機器の隣接セルを測定した測定結果を含み、前記隣接セルは、前記ターゲットネットワーク側機器のセルを含むことを特徴とする
請求項１２又は１３に記載の方法。
【請求項１５】
前記ネットワーク側機器が、端末が専用制御シグナリングを使用して要求した、前記端末が使用する必要があるシステム情報を受信することは、
前記ネットワーク側機器が、前記端末が送信したハンドオーバー完了メッセージに基づいて、前記ネットワーク側機器の前記システム情報を、確定することを含み、
前記ハンドオーバー完了メッセージは、さらに、前記端末が前記ネットワーク側機器へハンドオーバーしたことを示すために用いられることを特徴とする
請求項１１に記載の方法。
【請求項１６】
前記ネットワーク側機器が、前記システム情報を、前記端末に送信することは、
前記ネットワーク側機器が、前記システム情報が含まれる第１の再構成メッセージを、前記端末に送信することを含み、前記第１の再構成メッセージは、さらに、前記ネットワーク側機器へハンドオーバーした後に、前記ネットワーク側機器との間の接続を変更するように、前記端末に指示するために用いられることを特徴とする
請求項１１又は１５に記載の方法。
【請求項１７】
前記ネットワーク側機器が、端末が専用制御シグナリングを使用して要求した、前記端末が使用する必要があるシステム情報を受信することは、
前記ネットワーク側機器が、前記端末が送信した接続再確立要求メッセージに基づいて、前記ネットワーク側機器の前記システム情報を、確定することを含み、
前記接続再確立要求メッセージは、さらに、前記端末が、前記ネットワーク側機器との接続回復を要求するように構成されることを特徴とする
請求項１１に記載の方法。
【請求項１８】
前記ネットワーク側機器が、前記システム情報を、前記端末に送信することは、
前記ネットワーク側機器が、前記システム情報が含まれる接続再確立メッセージを、前記端末に送信することを含み、
前記接続再確立メッセージは、前記ネットワーク側機器との接続を再び確立するように、前記端末に指示するために用いられることを特徴とする
請求項１１又は１７に記載の方法。
【請求項１９】
前記ネットワーク側機器が、端末が専用制御シグナリングを使用して要求した、前記端末が使用する必要があるシステム情報を受信することは、
前記ネットワーク側機器が、前記端末が送信した接続再確立完了メッセージに基づいて、前記ネットワーク側機器の前記システム情報を、確定することを含み、
前記接続再確立完了メッセージは、さらに、前記端末が、前記ネットワーク側機器との接続回復の確立を完了したことを示すために用いられることを特徴とする
請求項１１に記載の方法。
【請求項２０】
前記ネットワーク側機器が、前記システム情報を、前記端末に送信することは、
前記ネットワーク側機器が、前記システム情報が含まれる第２の再構成メッセージを、前記端末に送信することを含み、
前記第２の再構成メッセージは、前記ターゲットネットワーク側機器との接続を確立した後に、前記ターゲットネットワーク側機器との間の接続を変更するように、前記端末に指示するために用いられることを特徴とする
請求項１１又は１９に記載の方法。
【請求項２１】
前記端末が使用する必要があるシステム情報は、前記端末が更新する必要があるシステム情報を含むことを特徴とする
請求項１１〜２０のいずれか１項に記載の方法。
【請求項２２】
システム情報伝送方法であって、
ターゲットネットワーク側機器が、ソースネットワーク側機器が送信したシステム情報の識別子を受信することと、
前記ターゲットネットワーク側機器が、前記システム情報の識別子に基づいて、前記端末が使用する必要がある前記システム情報を確定することと、
前記ターゲットネットワーク側機器が、前記ソースネットワーク側機器を介して、前記システム情報を、前記端末に送信することとを含み、
ここで、前記ソースネットワーク側機器は、前記端末が現在アクセスしているネットワーク側機器であり、前記ターゲットネットワーク側機器は、前記端末が、前記ソースネットワーク側機器からハンドオーバーしようとしているネットワーク側機器である
システム情報伝送方法。
【請求項２３】
前記ターゲットネットワーク側機器が、ソースネットワーク側機器が送信したシステム情報の識別子を受信することは、
前記ターゲットネットワーク側機器が、ソースネットワーク側機器によって送信された、前記システム情報の識別子が含まれる専用制御シグナリングを受信することを含むことを特徴とする
請求項２２に記載の方法。
【請求項２４】
前記端末が使用する必要があるシステム情報は、前記端末が更新する必要があるシステム情報を含むことを特徴とする
請求項２２又は２３に記載の方法。
【請求項２５】
システム情報伝送装置であって、
専用制御シグナリングを使用して、端末が使用する必要があるシステム情報を、ネットワーク側機器に要求するための要求モジュールと、
前記システム情報を受信するための受信モジュールと
を含む、システム情報伝送装置。
【請求項２６】
前記ネットワーク側機器は、前記端末が現在アクセスしているソースネットワーク側機器であり、
前記要求モジュールは、具体的に、
専用制御シグナリングを使用して、前記ソースネットワーク側機器に、前記システム情報を要求するように構成され、
前記受信モジュールは、具体的に、
前記ソースネットワーク側機器によって転送された前記ターゲットネットワーク側機器の前記システム情報を受信するように構成され、
前記ターゲットネットワーク側機器は、前記端末が、前記ソースネットワーク側機器からハンドオーバーしようとしているネットワーク側機器であることを特徴とする
請求項２５に記載の装置。
【請求項２７】
前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含むことを特徴とする
請求項２６に記載の装置。
【請求項２８】
前記要求モジュールは、具体的に、さらに、
ハンドオーバー完了メッセージを使用して、前記ネットワーク側機器の前記システム情報を、前記ネットワーク側機器に要求するように構成され、
前記ハンドオーバー完了メッセージは、さらに、前記端末が前記ネットワーク側機器へハンドオーバーしたことを示すために用いられることを特徴とする
請求項２５に記載の装置。
【請求項２９】
前記受信モジュールは、具体的に、さらに、
前記ネットワーク側機器によって送信された、前記システム情報が含まれる第１の再構成メッセージを受信するように構成され、
前記第１の再構成メッセージは、さらに、前記ネットワーク側機器へハンドオーバーした後に、前記ネットワーク側機器との間の接続を変更するように、前記端末に指示するために用いられることを特徴とする
請求項２５又は２８に記載の装置。
【請求項３０】
前記要求モジュールは、具体的に、さらに、
接続再確立要求メッセージを使用して、前記ネットワーク側機器の前記システム情報を、前記ネットワーク側機器に要求するように構成され、
前記接続再確立要求メッセージは、さらに、前記端末が、前記ネットワーク側機器との接続回復を要求するように構成されることを特徴とする
請求項２５に記載の装置。
【請求項３１】
前記受信モジュールは、具体的に、さらに、
前記ネットワーク側機器によって送信された、前記システム情報が含まれる接続再確立メッセージを受信するように構成され、
前記接続再確立メッセージは、前記ネットワーク側機器との接続を再び確立するように、前記端末に指示するために用いられることを特徴とする
請求項２５又は３０に記載の装置。
【請求項３２】
前記要求モジュールは、具体的に、さらに、
接続再確立完了メッセージを使用して、前記ネットワーク側機器の前記システム情報を、前記ネットワーク側機器に要求するように構成され、
前記接続再確立完了メッセージは、さらに、前記端末が、前記ネットワーク側機器との接続回復の確立を完了したことを示すために用いられることを特徴とする
請求項２５に記載の装置。
【請求項３３】
前記受信モジュールは、具体的に、さらに、
前記ネットワーク側機器によって送信された、前記システム情報が含まれる第２の再構成メッセージを受信するように構成され、
前記第２の再構成メッセージは、さらに、前記ネットワーク側機器との接続を確立した後に、前記ネットワーク側機器との間の接続を変更するように、前記端末に指示するために用いられることを特徴とする
請求項２５又は３２に記載の装置。
【請求項３４】
前記端末が使用する必要があるシステム情報は、前記端末が更新する必要があるシステム情報を含むことを特徴とする
請求項２５〜３３のいずれか１項に記載の装置。
【請求項３５】
システム情報伝送装置であって、
端末が専用制御シグナリングを使用して要求した、前記端末が使用する必要があるシステム情報を受信するための第１の受信モジュールと、
前記システム情報を、前記端末に送信するための第１の送信モジュールと
を含む、システム情報伝送装置。
【請求項３６】
前記ネットワーク側機器は、前記端末が現在アクセスしているソースネットワーク側機器であり、
前記専用制御シグナリングを、ターゲットネットワーク側機器に送信するための第２の送信モジュールと、
前記ターゲットネットワーク側機器が送信した前記システム情報を受信するための第２の受信モジュールとをさらに含み、
ここで、前記ターゲットネットワーク側機器は、前記端末がハンドオーバーしようとするネットワーク側機器であり、
前記第１の送信モジュールは、具体的に、
前記システム情報を、前記端末に送信するように構成されることを特徴とする
請求項３５に記載の装置。
【請求項３７】
前記ネットワーク側機器は、前記端末が現在アクセスしているソースネットワーク側機器であり、
前記システム情報の識別子を、ターゲットネットワーク側機器に送信するための第３の送信モジュールと、
前記ターゲットネットワーク側機器が送信した前記システム情報を受信するための第３の受信モジュールとをさらに含み、
ここで、前記ターゲットネットワーク側機器は、前記端末がハンドオーバーしようとするネットワーク側機器であり、前記システム情報は、前記ネットワーク側機器が前記システム情報の識別子に基づいて確定したものであり、
前記第１の送信モジュールは、具体的に、
前記システム情報を、前記端末に送信するように構成されることを特徴とする
請求項３５に記載の装置。
【請求項３８】
前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含むことを特徴とする
請求項３６又は３７に記載の装置。
【請求項３９】
前記第１の受信モジュールは、具体的に、さらに、
前記端末が送信したハンドオーバー完了メッセージに基づいて、前記ネットワーク側機器の前記システム情報を、確定するように構成され、
前記ハンドオーバー完了メッセージは、さらに、前記端末が前記ネットワーク側機器へハンドオーバーしたことを示すために用いられることを特徴とする
請求項３５に記載の装置。
【請求項４０】
前記第１の送信モジュールは、具体的に、さらに、
前記システム情報が含まれる第１の再構成メッセージを、前記端末に送信するように構成され、
前記第１の再構成メッセージは、さらに、前記ネットワーク側機器へハンドオーバーした後に、前記ネットワーク側機器との間の接続を変更するように、前記端末に指示するために用いられることを特徴とする
請求項３５又は３９に記載の装置。
【請求項４１】
前記第１の受信モジュールは、具体的に、さらに、
前記端末が送信した接続再確立要求メッセージに基づいて、前記ネットワーク側機器の前記システム情報を、確定するように構成され、
前記接続再確立要求メッセージは、さらに、前記端末が、前記ネットワーク側機器との接続回復を要求するように構成されることを特徴とする
請求項３５に記載の装置。
【請求項４２】
前記第１の送信モジュールは、具体的に、さらに、
前記システム情報が含まれる接続再確立メッセージを、前記端末に送信するように構成され、
前記接続再確立メッセージは、さらに、前記ネットワーク側機器との接続を再び確立するように、前記端末に指示するために用いられることを特徴とする
請求項３５又は４１に記載の装置。
【請求項４３】
前記第１の受信モジュールは、具体的に、さらに、
前記端末が送信した接続再確立完了メッセージに基づいて、前記ネットワーク側機器の前記システム情報を、確定するように構成され、
前記接続再確立完了メッセージは、さらに、前記端末が、前記ネットワーク側機器との接続回復の確立を完了したことを示すために用いられることを特徴とする
請求項３５に記載の装置。
【請求項４４】
前記第１の送信モジュールは、具体的に、さらに、
前記システム情報が含まれる第２の再構成メッセージを、前記端末に送信するように構成され、
前記第２の再構成メッセージは、前記ターゲットネットワーク側機器との接続を確立した後に、前記ターゲットネットワーク側機器との間の接続を変更するように、前記端末に指示するために用いられることを特徴とする
請求項３５又は４３に記載の装置。
【請求項４５】
前記端末が使用する必要があるシステム情報は、前記端末が更新する必要があるシステム情報を含むことを特徴とする
請求項３５〜４４のいずれか１項に記載の装置。
【請求項４６】
システム情報伝送装置であって、
ソースネットワーク側機器が送信したシステム情報の識別子を受信するための受信モジュールと、
前記システム情報の識別子に基づいて、前記端末が使用する必要がある前記システム情報を確定するための確定モジュールと、
前記ソースネットワーク側機器を介して、前記システム情報を、前記端末に送信するための送信モジュールとを含み、
ここで、前記ソースネットワーク側機器は、前記端末が現在アクセスしているネットワーク側機器であり、前記ターゲットネットワーク側機器は、前記端末が、前記ソースネットワーク側機器からハンドオーバーしようとしているネットワーク側機器である
システム情報伝送装置。
【請求項４７】
前記受信モジュールは、具体的に、
ソースネットワーク側機器によって送信された、前記システム情報の識別子が含まれる専用制御シグナリングを受信するように構成されることを特徴とする
請求項４６に記載の装置。
【請求項４８】
前記端末が使用する必要があるシステム情報は、前記端末が更新する必要があるシステム情報を含むことを特徴とする
請求項４６又は４７に記載の装置。
【発明の詳細な説明】
【技術分野】
【０００１】
本発明は、通信分野に関し、特に、システム情報伝送方法、及び装置に関する。
【背景技術】
【０００２】
従来のＬＴＥシステムでは、ブロードキャストの方式によって、システム情報を、周期的に、セル内に送信する。端末は、セルとのダウンリンク同期を確立した後、当該端末が接続状態にあるか、それともアイドル状態にあるかにも関わらず、セルが送信したシステム情報を受信して、当該セルの関連情報を取得することができる。
【０００３】
しかしながら、端末は、セルのシステム情報を取得した後に、当該セルのシステム情報を、それ以上、受信する必要がなくなる。セルがブロードキャストによってシステム情報を送信する方式は、伝送リソースの浪費が深刻である。
【発明の概要】
【０００４】
本発明の実施例は、システム情報を伝送するのに使用する伝送リソースを節約するための、システム情報伝送方法、及び装置を提供する。
【０００５】
第１の態様によると、システム情報伝送方法を提供し、上記方法は、端末が、専用制御シグナリングを使用して、端末が使用する必要があるシステム情報を、ネットワーク側機器に要求することと、前記端末が、前記システム情報を受信することとを含む。
【０００６】
本発明の実施例において、端末が、自身の需要によって、専用制御シグナリングを使用して、第１のネットワーク側機器のシステム情報を、第１のネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０００７】
第１の態様と結合して、第１の態様の実現可能な一形態において、前記ネットワーク側機器は、前記端末が現在アクセスしているソースネットワーク側機器であり、前記端末が、専用制御シグナリングを使用して、端末が使用する必要があるシステム情報を、ネットワーク側機器に要求することは、前記端末が、専用制御シグナリングを使用して、前記ソースネットワーク側機器に、前記システム情報を要求することを含み、前記端末が、前記システム情報を受信することは、前記端末が、前記ソースネットワーク側機器によって転送された前記ターゲットネットワーク側機器の前記システム情報を受信することを含み、前記ターゲットネットワーク側機器は、前記端末が、前記ソースネットワーク側機器からハンドオーバーしようとしているネットワーク側機器である。
【０００８】
本発明の実施例において、端末は、第２のネットワーク側機器から第１のネットワーク側機器へハンドオーバーする際に、専用制御シグナリングを第２のネットワーク側機器に送信して、第１のネットワーク側機器のシステム情報を要求することによって、システム情報を伝送するのに使用する伝送リソースを節約することができる。
【０００９】
第１の態様又は第１の態様の実現可能な形態の中のいずれか一つと結合して、第１の態様の実現可能なもう一形態において、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【００１０】
第１の態様又は第１の態様の実現可能な形態の中のいずれか一つと結合して、第１の態様の実現可能な一形態において、前記端末が、専用制御シグナリングを使用して、端末が使用する必要があるシステム情報を、ネットワーク側機器に要求することは、前記端末が、ハンドオーバー完了メッセージを使用して、前記ネットワーク側機器の前記システム情報を、前記ネットワーク側機器に要求することを含み、前記ハンドオーバー完了メッセージは、さらに、前記端末が前記ネットワーク側機器へハンドオーバーしたことを示すために用いられる。
【００１１】
本発明の実施例において、端末は、第２のネットワーク側機器から第１のネットワーク側機器へのハンドオーバーが完了した場合、専用制御シグナリングを第１のネットワーク側機器に送信して、第１のネットワーク側機器のシステム情報を要求することによって、システム情報を伝送するのに使用する伝送リソースを節約することができる。
【００１２】
第１の態様又は第１の態様の実現可能な形態の中のいずれか一つと結合して、第１の態様の実現可能な一形態において、前記端末が、前記システム情報を受信することは、前記端末が、前記ネットワーク側機器によって送信された、前記システム情報が含まれる第１の再構成メッセージを受信することを含み、前記第１の再構成メッセージは、さらに、前記ネットワーク側機器へハンドオーバーした後に、前記ネットワーク側機器との間の接続を変更するように、前記端末に指示するために用いられる。
【００１３】
本発明の実施例において、端末は、第１のネットワーク側機器が送信した第１の再構成メッセージを受信して、当該端末が要求した第１のネットワーク側機器のシステム情報を取得することによって、システム情報を伝送するのに使用する伝送リソースを節約することができる。
【００１４】
第１の態様又は第１の態様の実現可能な形態の中のいずれか一つと結合して、第１の態様の実現可能な一形態において、前記端末が、専用制御シグナリングを使用して、端末が使用する必要があるシステム情報を、ネットワーク側機器に要求することは、前記端末が、接続再確立要求メッセージを使用して、前記ネットワーク側機器の前記システム情報を、前記ネットワーク側機器に要求することを含み、前記接続再確立要求メッセージは、さらに、前記端末が、前記ネットワーク側機器との接続回復を要求するように構成される。
【００１５】
本発明の実施例において、端末は、接続再確立要求メッセージを使用して、第１のネットワーク側機器のシステム情報を、第１のネットワーク側機器に要求することによって、システム情報を伝送するのに使用する伝送リソースを節約することができる。
【００１６】
第１の態様又は第１の態様の実現可能な形態の中のいずれか一つと結合して、第１の態様の実現可能な一形態において、前記端末が、前記システム情報を受信することは、前記端末が、前記ネットワーク側機器によって送信された、前記システム情報が含まれる接続再確立メッセージを受信することを含み、前記接続再確立メッセージは、前記ネットワーク側機器との接続を再び確立するように、端末に指示するために用いられる。
【００１７】
本発明の実施例において、端末は、第１のネットワーク側機器が送信した接続再確立メッセージを受信して、当該端末が要求した第１のネットワーク側機器のシステム情報を取得することによって、システム情報を伝送するのに使用する伝送リソースを節約することができる。
【００１８】
第１の態様又は第１の態様の実現可能な形態の中のいずれか一つと結合して、第１の態様の実現可能な一形態において、前記端末が、専用制御シグナリングを使用して、端末が使用する必要があるシステム情報を、ネットワーク側機器に要求することは、前記端末が、接続再確立完了メッセージを使用して、前記ネットワーク側機器の前記システム情報を、前記ネットワーク側機器に要求することを含み、前記接続再確立完了メッセージは、さらに、前記端末が、前記ネットワーク側機器との接続回復の確立を完了したことを示すために用いられる。
【００１９】
本発明の実施例において、端末は、接続再確立完了メッセージを使用して、第１のネットワーク側機器のシステム情報を、第１のネットワーク側機器に要求することによって、システム情報を伝送するのに使用する伝送リソースを節約することができる。
【００２０】
第１の態様又は第１の態様の実現可能な形態の中のいずれか一つと結合して、第１の態様の実現可能な一形態において、前記端末が、前記システム情報を受信することは、前記端末が、前記ネットワーク側機器によって送信された、前記システム情報が含まれる第２の再構成メッセージを受信することを含み、前記第２の再構成メッセージは、さらに、前記ネットワーク側機器との接続を確立した後に、前記ネットワーク側機器との間の接続を変更するように、前記端末に指示するために用いられる。
【００２１】
本発明の実施例において、端末は、第１のネットワーク側機器が送信した第２の再構成メッセージを受信して、当該端末が要求した第１のネットワーク側機器のシステム情報を取得することによって、システム情報を伝送するのに使用する伝送リソースを節約することができる。
【００２２】
第１の態様又は第１の態様の実現可能な形態の中のいずれか一つと結合して、第１の態様の実現可能な一形態において、前記端末が使用する必要があるシステム情報は、前記端末が更新する必要があるシステム情報を含む。
【００２３】
第２の態様によると、システム情報伝送方法を提供し、上記方法は、ネットワーク側機器が、端末が専用制御シグナリングを使用して要求した、前記端末が使用する必要があるシステム情報を受信することと、前記ネットワーク側機器が、前記システム情報を、前記端末に送信することとを含む。
【００２４】
本発明の実施例において、端末が、自身の需要によって、専用制御シグナリングを使用して、第１のネットワーク側機器のシステム情報を、第１のネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【００２５】
第２の態様と結合して、第２の態様の実現可能な一形態において、前記ネットワーク側機器は、前記端末が現在アクセスしているソースネットワーク側機器であり、前記ネットワーク側機器が、前記システム情報を、前記端末に送信する前に、前記ネットワーク側機器が、前記専用制御シグナリングを、ターゲットネットワーク側機器に送信することと、前記ネットワーク側機器が、前記ターゲットネットワーク側機器が送信した前記システム情報を受信することとをさらに含み、ここで、前記ターゲットネットワーク側機器は、前記端末がハンドオーバーしようとするネットワーク側機器であり、前記ネットワーク側機器が、前記システム情報を、前記端末に送信することは、前記ネットワーク側機器が、前記システム情報を、前記端末に送信することとを含む。
【００２６】
本発明の実施例において、端末は、第２のネットワーク側機器から第１のネットワーク側機器へハンドオーバーする際に、専用制御シグナリングを第２のネットワーク側機器に送信して、第１のネットワーク側機器のシステム情報を要求することによって、システム情報を伝送するのに使用する伝送リソースを節約することができる。
【００２７】
第２の態様又は第２の態様の実現可能な形態の中のいずれか一つと結合して、第２の態様の実現可能なもう一形態において、前記ネットワーク側機器は、前記端末が現在アクセスしているソースネットワーク側機器であり、前記ネットワーク側機器が、前記システム情報を、前記端末に送信する前に、前記ネットワーク側機器が、前記システム情報の識別子を、ターゲットネットワーク側機器に送信するとと、前記ネットワーク側機器が、前記ターゲットネットワーク側機器が送信した前記システム情報を受信することとをさらに含み、ここで、前記ターゲットネットワーク側機器は、前記端末がハンドオーバーしようとするネットワーク側機器であり、前記システム情報は、前記ネットワーク側機器が前記システム情報の識別子に基づいて確定したものであり、前記ネットワーク側機器が、前記システム情報を、前記端末に送信することは、前記ネットワーク側機器が、前記システム情報を、前記端末に送信することとを含む。
【００２８】
本発明の実施例において、端末は、第２のネットワーク側機器から第１のネットワーク側機器へハンドオーバーする際に、専用制御シグナリングを第２のネットワーク側機器に送信して、第１のネットワーク側機器のシステム情報を要求し、ここで、第２のネットワーク側機器が第１のネットワーク側機器に転送するものは、当該端末が使用する必要があるシステム情報の識別子であることによって、従来技術と比較すると、システム情報を伝送するのに使用する伝送リソースを節約した。
【００２９】
第２の態様又は第２の態様の実現可能な形態の中のいずれか一つと結合して、第２の態様の実現可能なもう一形態において、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【００３０】
第２の態様又は第２の態様の実現可能な形態の中のいずれか一つと結合して、第２の態様の実現可能なもう一形態において、前記ネットワーク側機器が、端末が専用制御シグナリングを使用して要求した、前記端末が使用する必要があるシステム情報を受信することは、前記ネットワーク側機器が、前記端末が送信したハンドオーバー完了メッセージに基づいて、前記ネットワーク側機器の前記システム情報を、確定することを含み、前記ハンドオーバー完了メッセージは、さらに、前記端末が前記ネットワーク側機器へハンドオーバーしたことを示すために用いられる。
【００３１】
本発明の実施例において、端末は、第２のネットワーク側機器から第１のネットワーク側機器へのハンドオーバーが完了した場合、専用制御シグナリングを第１のネットワーク側機器に送信して、第１のネットワーク側機器のシステム情報を要求することによって、システム情報を伝送するのに使用する伝送リソースを節約することができる。
【００３２】
第２の態様又は第２の態様の実現可能な形態の中のいずれか一つと結合して、第２の態様の実現可能なもう一形態において、前記ネットワーク側機器が、前記システム情報を、前記端末に送信することは、前記ネットワーク側機器が、前記システム情報が含まれる第１の再構成メッセージを、前記端末に送信することを含み、前記第１の再構成メッセージは、さらに、前記ネットワーク側機器へハンドオーバーした後に、前記ネットワーク側機器との間の接続を変更するように、前記端末に指示するために用いられる。
【００３３】
本発明の実施例において、端末は、第１のネットワーク側機器が送信した第１の再構成メッセージを受信して、当該端末が要求した第１のネットワーク側機器のシステム情報を取得することによって、システム情報を伝送するのに使用する伝送リソースを節約することができる。
【００３４】
第２の態様又は第２の態様の実現可能な形態の中のいずれか一つと結合して、第２の態様の実現可能なもう一形態において、前記ネットワーク側機器が、端末が専用制御シグナリングを使用して要求した、前記端末が使用する必要があるシステム情報を受信することは、前記ネットワーク側機器が、前記端末が送信した接続再確立要求メッセージに基づいて、前記ネットワーク側機器の前記システム情報を、確定することを含み、前記接続再確立要求メッセージは、さらに、前記端末が、前記ネットワーク側機器との接続回復を要求するように構成される。
【００３５】
本発明の実施例において、端末は、接続再確立要求メッセージを使用して、第１のネットワーク側機器のシステム情報を、第１のネットワーク側機器に要求することによって、システム情報を伝送するのに使用する伝送リソースを節約することができる。
【００３６】
第２の態様又は第２の態様の実現可能な形態の中のいずれか一つと結合して、第２の態様の実現可能なもう一形態において、前記ネットワーク側機器が、前記システム情報を、前記端末に送信することは、前記ネットワーク側機器が、前記システム情報が含まれる接続再確立メッセージを、前記端末に送信することを含み、前記接続再確立メッセージは、さらに、前記ネットワーク側機器との接続を再び確立するように、端末に指示するために用いられる。
【００３７】
本発明の実施例において、端末は、第１のネットワーク側機器が送信した接続再確立メッセージを受信して、当該端末が要求した第１のネットワーク側機器のシステム情報を取得することによって、システム情報を伝送するのに使用する伝送リソースを節約することができる。
【００３８】
第２の態様又は第２の態様の実現可能な形態の中のいずれか一つと結合して、第２の態様の実現可能なもう一形態において、前記ネットワーク側機器が、端末が専用制御シグナリングを使用して要求した、前記端末が使用する必要があるシステム情報を受信することは、前記ネットワーク側機器が、前記端末が送信した接続再確立完了メッセージに基づいて、前記ネットワーク側機器の前記システム情報を、確定することを含み、前記接続再確立完了メッセージは、さらに、前記端末が、前記ネットワーク側機器との接続回復の確立を完了したことを示すために用いられる。
【００３９】
本発明の実施例において、端末は、接続再確立完了メッセージを使用して、第１のネットワーク側機器のシステム情報を、第１のネットワーク側機器に要求することによって、システム情報を伝送するのに使用する伝送リソースを節約することができる。
【００４０】
第２の態様又は第２の態様の実現可能な形態の中のいずれか一つと結合して、第２の態様の実現可能なもう一形態において、前記ネットワーク側機器が、前記システム情報を、前記端末に送信することは、前記ネットワーク側機器が、前記システム情報が含まれる第２の再構成メッセージを、前記端末に送信することを含み、前記第２の再構成メッセージは、前記ターゲットネットワーク側機器との接続を確立した後に、前記ターゲットネットワーク側機器との間の接続を変更するように、前記端末に指示するために用いられる。
【００４１】
本発明の実施例において、端末は、第１のネットワーク側機器が送信した第２の再構成メッセージを受信して、当該端末が要求した第１のネットワーク側機器のシステム情報を取得することによって、システム情報を伝送するのに使用する伝送リソースを節約することができる。
【００４２】
第２の態様又は第２の態様の実現可能な形態の中のいずれか一つと結合して、第２の態様の実現可能なもう一形態において、前記端末が使用する必要があるシステム情報は、前記端末が更新する必要があるシステム情報を含む。
【００４３】
第３の態様によると、システム情報伝送方法を提供し、上記方法は、ターゲットネットワーク側機器が、ソースネットワーク側機器が送信したシステム情報の識別子を受信することと、前記ターゲットネットワーク側機器が、前記システム情報の識別子に基づいて、前記端末が使用する必要がある前記システム情報を確定することと、前記ターゲットネットワーク側機器が、前記ソースネットワーク側機器を介して、前記システム情報を、前記端末に送信することとを含み、ここで、前記ソースネットワーク側機器は、前記端末が現在アクセスしているネットワーク側機器であり、前記ターゲットネットワーク側機器は、前記端末が、前記ソースネットワーク側機器からハンドオーバーしようとしているネットワーク側機器である。
【００４４】
本発明の実施例において、端末が、自身の需要によって、専用制御シグナリングを使用して、第１のネットワーク側機器のシステム情報を、第１のネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【００４５】
第３の態様と結合して、第３の態様の実現可能な一形態において、前記ターゲットネットワーク側機器が、ソースネットワーク側機器が送信したシステム情報の識別子を受信することは、前記ターゲットネットワーク側機器が、ソースネットワーク側機器によって送信された、前記システム情報の識別子が含まれる専用制御シグナリングを受信することを含む。
【００４６】
本発明の実施例において、ターゲットネットワーク側機器は、ソースネットワーク側機器が送信した専用制御シグナリングを使用して、システム情報の識別子を確定することができて、従来の専用制御シグナリングを利用することによって、システム情報の識別子を伝送するのに使用されるシグナリングオーバーヘッドを節約することができる。
【００４７】
第３の態様又は第３の態様の実現可能な形態の中のいずれか一つと結合して、第３の態様の実現可能なもう一形態において、前記端末が使用する必要があるシステム情報は、前記端末が更新する必要があるシステム情報を含む。
【００４８】
第４の態様によると、本願は、システム情報伝送装置を提供し、前記装置は、１の態様の方法を実行するためのモジュールを含む。
【００４９】
第５の態様によると、本願は、システム情報伝送装置を提供し、前記装置は、２の態様の方法を実行するためのモジュールを含む。
【００５０】
第６の態様によると、本願は、システム情報伝送装置を提供し、前記装置は、３の態様の方法を実行するためのモジュールを含む。
【００５１】
第７の態様によると、本願は、システム情報伝送装置を提供し、前記装置は、メモリと、プロセッサと、入出力インタフェースと、通信インタフェースと、バスシステムとを含む。ここで、メモリ、プロセッサ、入出力インタフェース、および、通信インタフェースは、バスシステムによって接続される。当該メモリは、命令を記憶するように構成され、当該プロセッサは、当該メモリに記憶されている命令を実行するように構成され、前記命令が実行されると、前記プロセッサは、前記通信インタフェースを介して、第１の態様の方法を実行し、また、入出力インタフェースが、入力されるデータおよび情報を受信し、操作結果等のデータを出力するように、制御する。
【００５２】
第８の態様によると、本願は、システム情報伝送装置を提供し、前記装置は、メモリと、プロセッサと、入出力インタフェースと、通信インタフェースと、バスシステムとを含む。ここで、メモリ、プロセッサ、入出力インタフェース、および、通信インタフェースは、バスシステムによって接続される、当該メモリは、命令を記憶するように構成され、当該プロセッサは、当該メモリに記憶されている命令を実行するように構成され、前記命令が実行されると、前記プロセッサは、前記通信インタフェースを介して、第２の態様の方法を実行し、また、入出力インタフェースが、入力されるデータおよび情報を受信し、操作結果等のデータを出力するように、制御する。
【００５３】
第９の態様によると、本願は、システム情報伝送装置を提供し、前記装置は、メモリと、プロセッサと、入出力インタフェースと、通信インタフェースと、バスシステムとを含む。ここで、メモリ、プロセッサ、入出力インタフェース、および、通信インタフェースは、バスシステムによって接続される、当該メモリは、命令を記憶するように構成され、当該プロセッサは、当該メモリに記憶されている命令を実行するように構成され、前記命令が実行されると、前記プロセッサは、前記通信インタフェースを介して、第３の態様の方法を実行し、また、入出力インタフェースが、入力されるデータおよび情報を受信し、操作結果等のデータを出力するように、制御する。
【００５４】
第１０の態様によると、本願は、コンピュータ読み取り可能記憶媒体を提供し、前記コンピュータ読み取り可能記憶媒体は、検索要求を送信する方法のプログラムコードを記憶するように構成され、前記プログラムコードは、第１の態様中の方法の命令を実行するように構成される。
【００５５】
第１１の態様によると、本願は、コンピュータ読み取り可能記憶媒体を提供し、前記コンピュータ読み取り可能記憶媒体は、検索要求を送信する方法のプログラムコードを記憶するように構成され、前記プログラムコードは、第２の態様中の方法の命令を実行するように構成される。
【００５６】
第１２の態様によると、本願は、コンピュータ読み取り可能記憶媒体を提供し、前記コンピュータ読み取り可能記憶媒体は、検索要求を送信する方法のプログラムコードを記憶するように構成され、前記プログラムコードは、第３の態様中の方法の命令を実行するように構成される。
【図面の簡単な説明】
【００５７】
【図１】図１は、本発明の実施例に係るシステム情報伝送方法を示す模式的なフローチャートである。
【図２】図２は、本発明のもう一実施例に係るシステム情報伝送方法を示す模式的なフローチャートである。
【図３】図３は、本発明のもう一実施例に係るシステム情報伝送方法を示す模式的なフローチャートである。
【図４】図４は、本発明のもう一実施例に係るシステム情報伝送方法を示す模式的なフローチャートである。
【図５】図５は、本発明のもう一実施例に係るシステム情報伝送方法を示す模式的なフローチャートである。
【図６】図６は、本発明のもう一実施例に係るシステム情報伝送方法を示す模式的なフローチャートである。
【図７】図７は、本発明の実施例に係るシステム情報伝送装置を示す模式的なフロック図である。
【図８】図８は、本発明のもう一実施例に係るシステム情報伝送装置を示す模式的なフロック図である。
【図９】図９は、本発明の実施例に係るシステム情報伝送装置を示す模式的なフロック図である。
【図１０】図１０は、本発明のもう一実施例に係るシステム情報伝送装置を示す模式的なフロック図である。
【図１１】図１１は、本発明のもう一実施例に係るシステム情報伝送装置を示す模式的なフロック図である。
【図１２】図１２は、本発明のもう一実施例に係るシステム情報伝送装置を示す模式的なフロック図である。
【発明を実施するための形態】
【００５８】
本発明の実施例の技術案をより明確に説明するために、上記において、本発明の実施例で使用する必要がある図面を簡単に説明し、明らかに、以下に説明する図面はただ本発明の幾つかの実施例に、当業者にとって、創造的な労力を払わない前提で、これらの図面に基づいてその他の図面が得ることができる。
【００５９】
以下、本発明の実施例の図面を結合して、本発明の実施例の技術案を明確的且つ全面的に説明する。当然ながら、説明されている実施例は、本発明の一部の実施例に過ぎず、全ての実施例ではない。当業者によって本発明の実施例に基づいて創造的な労力を払わずに得られる全てのその他の実施例は、本発明の範囲内に属する。
【００６０】
本発明の技術案は、例えば、グローバルモバイル体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、シンボル分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域シンボル分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、及び、長期進化（ＬＴＥ：Ｌｏｎｇ  Ｔｅｒｍ  Ｅｖｏｌｕｔｉｏｎ）システムなどのさまざまな通信システムに応用できることを、理解すべきである。
【００６１】
なお、端末は、ユーザ設備（ＵＥ：Ｕｓｅｒ  Ｅｑｕｉｐｍｅｎｔ）に称されても良く、また、モバイル端末（Ｍｏｂｉｌｅ Ｔｅｒｍｉｎａｌ）又はモバイルユーザ設備などに称されても良く、無線アクセスネットワーク（例えば、ＲＡＮ：Ｒａｄｉｏ  Ａｃｃｅｓｓ  Ｎｅｔｗｏｒｋ）を介して、一つ又は複数のコアネットワークと通信を行うことができる。ユーザ設備は、携帯電話（又は「セルラー電話」とも称する）、モバイル端末を有するコンピュータなどのモバイル端末であっても良く、例えば、ポータブル型、コンパクト型、ハンドヘルド型、コンピュータ内蔵型又は車載のモバイルデバイスであってもよく、これらモバイルデバイスは、無線アクセスネットワークと、言語及び／或いはデータを交換することができることを、理解すべきである。
【００６２】
ネットワーク側機器は、ネットワーク側機器を指してもよく、ＧＳＭまたはＣＤＭＡ中のネットワーク側機器（ＢＴＳ：Ｂａｓｅ  Ｔｒａｎｓｃｅｉｖｅｒ  Ｓｔａｔｉｏｎ）であってもよく、ＷＣＤＭＡ中のネットワーク側機器（Ｎｏｄｅ  Ｂ）であってもよく、なお、ＬＴＥ中の進化型ネットワーク側機器（ｅＮＢ又はｅ−ＮｏｄｅＢ、ｅｖｏｌｕｔｉｏｎａｌ  Ｎｏｄｅ  Ｂ）であってもよく、本発明はこれらに対し限定しないが、説明の便利のために、以下の実施例ではＮｏｄｅ  Ｂである例を挙げて説明する。
【００６３】
図１は、本発明の実施例に係るシステム情報伝送方法を示す模式的なフローチャートである。図１に示した方法は、ステップ１１０〜ステップ１２０を含む。
【００６４】
ステップ１１０において、端末が、専用制御シグナリングを使用して、端末が使用する必要があるシステム情報を、ネットワーク側機器に要求する。
【００６５】
具体的に、上記のシステム情報は、マスター情報ブロック（ＭＩＢ：Ｍａｓｔｅｒ  ＩＮｆｏｒｍＡｔｉｏＮ  Ｂｌｏｃｋ）および複数のシステム情報ブロック（ＳＩＢ：Ｓｙｓｔｅｍ  ＩＮｆｏｒｍＡｔｉｏＮ  Ｂｌｏｃｋ）を含んでもよい。ここで、ＭＩＢには、例えば、システムフレームナンバー（ＳＦＮ：Ｓｙｓｔｅｍ  Ｆｒａｍｅ  Ｎｕｍｂｅｒ）のような、ＬＴＥにアクセスするのに最も基本的な情報が、含まれて、端末が、システムの時間情報、ダウンリンクシステム帯域幅、および、ＰＨＩＣＨ構成情報を、取得するようにしてもよい。ＳＩＢ１には、セルが、常駐に関連された情報およびその他のシステム情報ブロックを選択するためのスケジュール情報が、含まれてもよい。ＳＩＢ２には、セルのアクセス制限情報、共通チャネルパラメータ、および、マルチメディアブロードキャスト／マルチキャストサービス単一周波数ネットワーク（ＭＢＳＦＮ：Ｍｕｌｔｉｍｅｄｉａ  ＢｒｏＡｄｃＡｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）サブフレームの構成情報が、含まれてもよい。ＳＩＢ３には、主としては、サービスセル再選択パラメータおよび同周波数セル再選択パラメータに関連される、セル再選択関連情報が、含まれてもよい。ＳＩＢ４には、例えば、同周波数ホワイトリスト／ブラックリストセルリストにような、同周波数セル再選択情報が、含まれてもよい。ＳＩＢ５には、例えば、異周波数隣接セルリストおよび各周波数点の再選択パラメータ、異周波数隣接セルリストおよび各隣接セルの再選択パラメータ、異周波数ブラックリストセルリストのような、異周波数セル再選択情報が、含まれてもよい。ＳＩＢ６には、例えば、ユニバーサル地上無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）隣接周波数の周波数点リストおよび各周波数点の再選択パラメータ、異周波数ブラックリストセルリストのような、異システムセル再選択情報が、含まれてもよい。ＳＩＢ７には、例えば、グローバルモバイル通信システム／拡張データレートＧＳＭ進化技術の無線アクセスネットワーク（ＧＥＲＡＮ：Ｇｌｏｂａｌ  Ｓｙｓｔｅｍ  ｆｏｒ  Ｍｏｂｉｌｅ  Ｃｏｍｍｕｎｉｃａｔｉｏｎ  ／  Ｅｎｈａｎｃｅｄ  Ｄａｔａ  Ｒａｔｅ  ｆｏ
ｒ  ＧＳＭ  Ｅｖｏｌｕｔｉｏｎ  Ｒａｄｉｏ  Ａｃｃｅｓｓ  Ｎｅｔｗｏｒｋ）中の隣接周波数の周波数点リストおよび各周波数点の再選択パラメータのような、異システムセル再選択情報が、含まれてもよい。ＳＩＢ８には、例えば、符号分割多元接続２０００（ＣＤＭＡ２０００：Ｃｏｄｅ  Ｄｉｖｉｓｉｏｎ  Ｍｕｌｔｉｐｌｅ  Ａｃｃｅｓｓ  ２０００）の隣接セルリストのような、異システムセル再選択情報が、含まれてもよい。
【００６６】
上記のシステム情報を、必要なシステム情報と、必要でないシステム情報とに分けてもよいことを、説明する必要がある。例えば、必要なシステム情報としては、上記のシステム情報中のＭＩＢおよびＳＩＢ１が用いられ、必要でないシステム情報としては、ＳＩＢ２〜ＳＩＢ１３が用いられる。ここで、必要なシステム情報は、ブロードキャストの方式によって周期的にセル内に伝送されてもよく、必要でないシステム情報は、端末が上記の専用制御シグナリングを使用してネットワーク側機器に要求する方式によって、ネットワーク側機器から端末に送信される。つまり、上記の端末が使用する必要があるシステム情報は、必要でないシステム情報であってもよい。
【００６７】
上記の端末が使用する必要があるシステム情報は、上記の必要でないシステム情報であってもよく、また、必要なシステム情報であってもよく、本発明はこれらに対し具体的に限定しないことを、理解すべきである。
【００６８】
なお、上記の必要なシステム情報および必要でないシステム情報は、端末とネットワーク側機器とによって事前に合意されてもよく、例えば、プロトコルによって指定されていてもよいし、或いは、ネットワーク側機器が、上記のシステム情報中の必要なシステム情報の種類に属するシステム情報、及び／又は、上記のシステム情報中の必要でないシステム情報の種類に属するシステム情報を、端末に指示してもよいし、例えば、ネットワーク側機器が、必要なシステム情報の種類あるいは必要なシステム情報識別子が含まれる指示情報を、端末に送信してもよく、本発明はこれらに対し具体的に限定しないことを、理解すべきである。
【００６９】
オプションとして、前記端末が使用する必要があるシステム情報は、前記端末が更新する必要があるシステム情報を含む。
【００７０】
具体的に、上記の端末が更新する必要があるシステム情報は、端末がセルハンドオーバーを行った後に更新する必要があるターゲットネットワーク側機器のシステム情報を、示してもよく、また、端末が当該セル内に長期間位置した場合に、当該セルのシステム情報が変化された時に、端末が更新する必要がある当該セル（即ち、当該セルは、端末が現在アクセスしているネットワーク側機器に属する）のシステム情報を、示してもよく、本発明はこれらに対し具体的に限定しない。
【００７１】
オプションとして、一実施例として、ステップ１１０において、前記端末が、前記システム情報の識別子が含まれる前記専用制御シグナリングを使用して、前記端末が使用する必要があるシステム情報を、前記ネットワーク側機器に要求する。
【００７２】
具体的に、端末は、専用制御シグナリングに、端末が使用する必要があるシステム情報の識別子を含めてもよく、当該システム情報の識別子は、システム情報の種類、及び／又は、システム情報を、示してもよい。
【００７３】
上記のシステム情報の識別子は、ネットワーク側機器がビットマップ（ｂｉｔｍａｐ）の方式に従って生成し、さらに、ネットワーク側機器が当該生成されたシステム情報の識別子を端末に送信してもよいし、また、端末が直接に生成し、さらに、端末が当該生成されたシステム情報の識別子をネットワーク側機器に送信してもよく、本発明はシステム情報の識別子の生成方式に対し具体的に限定しないことを、理解すべきである。
【００７４】
ステップ１２０において、前記端末が、前記システム情報を受信する。
【００７５】
本発明の実施例において、端末が、自身の需要によって、専用制御シグナリングを使用して、端末が使用する必要があるシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【００７６】
オプションとして、一実施例として、前記ネットワーク側機器は、前記端末が現在アクセスしているソースネットワーク側機器であり、
前記端末が、専用制御シグナリングを使用して、端末が使用する必要があるシステム情報を、ネットワーク側機器に要求することは、前記端末が、専用制御シグナリングを使用して、前記ソースネットワーク側機器に、前記システム情報を要求することを含み、前記端末が、前記システム情報を受信することは、前記端末が、前記ソースネットワーク側機器によって転送された前記ターゲットネットワーク側機器の前記システム情報を受信することを含み、前記ターゲットネットワーク側機器は、前記端末が、前記ソースネットワーク側機器からハンドオーバーしようとしているネットワーク側機器である。
【００７７】
具体的に、端末は、ソースネットワーク側機器からターゲットネットワーク側機器へハンドオーバーしようとしている場合、専用制御シグナリングをソースネットワーク側機器に送信することによって、ターゲットネットワーク側機器のシステム情報を要求してもよく、また、当該端末は、ソースネットワーク側機器を介して、ターゲットネットワーク側機器のシステム情報を受信してもよい。
【００７８】
ターゲットネットワーク側機器は、当該ターゲットネットワーク側機器が端末が要求するシステム情報をサポートすると、ソースネットワーク側機器を介して、当該端末が要求するシステム情報を送信してもよく、当該ターゲットネットワーク側機器が端末が要求するシステム情報をサポートしないと、端末に返信しないでもよいことを、説明する必要がある。
【００７９】
例えば、端末が、ソースネットワーク側機器を介して、ＳＩＢ８を、ターゲットネットワーク側機器に要求したが、ターゲットネットワーク側機器がＣＤＭＡ２０００システムをサポートしないので、当該ターゲットネットワーク側機器は端末が要求したシステム情報を返信しないでもよい。
【００８０】
オプションとして、一実施例として、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【００８１】
上記の専用制御シグナリングは、無線リソース制御（ＲＲＣ：Ｒａｄｉｏ  Ｒｅｓｏｕｒｃｅ  Ｃｏｎｔｒｏｌ）測定報告であってもよいし、将来の５Ｇシステムで規定される、上記の測定報告の作用と同一な専用制御シグナリングであってもよいし、また、その他のシステムが端末が送信するように要求する専用シグナリングであってもよく、本発明はこれらに対し具体的に限定しないことを、理解すべきである。
【００８２】
図２は、本発明のもう一実施例に係るシステム情報伝送方法を示す模式的なフローチャートである。図２に示した方法は、ステップ２１０〜ステップ２４０を含む。
【００８３】
ステップ２１０において、端末が、測定報告を、ソースネットワーク側機器に送信する。
【００８４】
具体的に、端末は、当該端末が使用する必要があるシステム情報の種類及び／又は識別子が含まれる測定報告を、ソースネットワーク側機器に送信する。
【００８５】
ステップ２２０において、ソースネットワーク側機器ターゲットネットワーク側機器に要求情報を、送信する。
【００８６】
具体的に、ソースネットワーク側機器は、端末が送信した測定報告に基づいて、ターゲットネットワーク側機器を確定した後、測定報告に含まれた当該端末が使用する必要があるシステム情報の種類及び／又は識別子を要求情報を使用して、ターゲットネットワーク側機器に送信してもよい。
【００８７】
ステップ２３０において、ターゲットネットワーク側機器が、端末が使用する必要があるシステム情報を、ソースネットワーク側機器に送信する。
【００８８】
具体的に、ターゲットネットワーク側機器は、ソースネットワーク側機器が送信したシステム情報の種類及び／又は識別子に基づいて、当該端末が使用する必要があるシステム情報を確定して、当該システム情報を、端末に送信してもよい。
【００８９】
ステップ２４０において、ソースネットワーク側機器が、端末が使用する必要があるシステム情報を、端末に送信する。
【００９０】
具体的に、ソースネットワーク側機器は、端末が使用する必要があるターゲットネットワーク側機器のシステム情報を、端末に送信する。
【００９１】
オプションとして、一実施例として、ステップ１１０において、前記端末が、専用制御シグナリングを使用して、端末が使用する必要があるシステム情報を、ネットワーク側機器に要求することは、前記端末が、ハンドオーバー完了メッセージを使用して、前記ネットワーク側機器の前記システム情報を、前記ネットワーク側機器に要求することを含み、前記ハンドオーバー完了メッセージは、さらに、前記端末が前記ネットワーク側機器へハンドオーバーしたことを示すために用いられる。
【００９２】
具体的に、端末は、当該端末がソースネットワーク側機器からターゲットネットワーク側機器（即ち、上記のネットワーク側機器である）へのハンドオーバーを完了した場合、ハンドオーバー完了メッセージを使用して、ターゲットネットワーク側機器のシステム情報を、ネットワーク側機器に要求し、ここで、上記のハンドオーバー完了メッセージは、前記端末がソースネットワーク側機器からターゲットネットワーク側機器へのハンドオーバーを完了したことを示すように構成されてもよい。
【００９３】
オプションとして、一実施例として、端末は、上記のハンドオーバー完了メッセージに、端末が使用する必要があるシステム情報の識別子を含めてもよく、当該システム情報の識別子は、システム情報の種類を示してもよい。
【００９４】
上記のハンドオーバー完了メッセージは、端末がソースネットワーク側機器からターゲットネットワーク側機器へのハンドオーバーを完了したことを示す再構成完了メッセージであってもよいことを、説明する必要がある。
【００９５】
上記のハンドオーバー完了メッセージは、ＲＲＣ再構成完了メッセージであってもよいし、将来の５Ｇシステムに規定される、上記のＲＲＣ再構成完了メッセージの作用と同一な専用制御シグナリングであってもよく、本発明はこれらに対し具体的に限定しないことを、理解すべきである。
【００９６】
オプションとして、一実施例として、ステップ１２０において、前記端末が、前記システム情報を受信することは、前記端末が、前記ネットワーク側機器によって送信された、前記システム情報が含まれる第１の再構成メッセージを受信することを含み、前記第１の再構成メッセージは、さらに、前記ネットワーク側機器へハンドオーバーした後に、前記ネットワーク側機器との間の接続を変更するように、前記端末に指示するために用いられる。
【００９７】
具体的に、端末は、当該端末がソースネットワーク側機器からターゲットネットワーク側機器（即ち、上記のネットワーク側機器である）へのハンドオーバーを完了した後、ターゲットネットワーク側機器によって送信された、端末が使用する必要があるシステム情報が含まれる第１の再構成メッセージを受信してもよい。
【００９８】
上記の第１の再構成メッセージは、ＲＲＣ再構成メッセージであってもよいし、端末が上記のハンドオーバー完了メッセージをネットワーク側機器に送信した後の任意の再構成メッセージであってもよいし、将来の５Ｇシステムに規定される、上記のＲＲＣ再構成完了メッセージの作用と同一な専用制御シグナリングであってもよいことを、説明する必要がある。例えば、上記の第１の再構成メッセージは、端末再構成無線ベアラ、データ無線ベアラ、伝送チャネル、および、物理チャネルを示す再構成メッセージであってもよい。
【００９９】
図３は、本発明のもう一実施例に係るシステム情報伝送方法を示す模式的なフローチャートである。図３に示した方法は、ステップ３１０〜ステップ３３０を含む。
【０１００】
ステップ３１０において、端末が、ソースネットワーク側機器からネットワーク側機器へハンドオーバーするハンドオーバープロセスを完了する。
【０１０１】
具体的に、端末は、ソースネットワーク側機器からネットワーク側機器（即ち、ターゲットネットワーク側機器である）へハンドオーバーするハンドオーバープロセスを完了し、つまり、当該ネットワーク側機器は、当該端末に対してサービスを提供する現在ネットワーク側機器である。
【０１０２】
ステップ３２０において、端末が、ハンドオーバー完了メッセージを、ネットワーク側機器に送信する。
【０１０３】
具体的に、端末は、当該端末が使用する必要がある当該ネットワーク側機器のシステム情報の識別子が含まれるハンドオーバー完了メッセージを、ネットワーク側機器に送信してもよい。
【０１０４】
ステップ３３０において、端末が、ネットワーク側機器が送信した再構成メッセージを受信する。
【０１０５】
具体的に、端末は、ネットワーク側機器によって送信された、当該端末が使用する必要がある当該ネットワーク側機器のシステム情報が含まれる再構成メッセージを受信する。
【０１０６】
オプションとして、一実施例として、ステップ１１０において、前記端末が、専用制御シグナリングを使用して、端末が使用する必要があるシステム情報を、ネットワーク側機器に要求することは、前記端末が、接続再確立要求メッセージを使用して、前記ネットワーク側機器の前記システム情報を、前記ネットワーク側機器に要求することを含み、前記接続再確立要求メッセージは、さらに、前記端末が、前記ネットワーク側機器との接続回復を要求するように構成される。
【０１０７】
具体的に、端末は、当該端末がネットワーク側機器と接続を再確立する際に、接続再確立要求メッセージを、ネットワーク側機器に送信することによって、端末が使用する必要がある当該ネットワーク側機器のシステム情報を、ネットワーク側機器に要求する。
【０１０８】
上記の接続再確立要求メッセージは、ＲＲＣ接続再確立要求メッセージであってもよいし、将来の５Ｇシステムに規定される、上記のＲＲＣ接続再確立要求メッセージの作用と同一な専用制御シグナリングであってもよく、本発明はこれらに対し具体的に限定しないことを、理解すべきである。
【０１０９】
オプションとして、一実施例として、端末は、上記の接続再確立要求メッセージに、端末が使用する必要があるネットワーク側機器のシステム情報の識別子を含めてもよく、当該システム情報の識別子は、システム情報の種類を示してもよい。
【０１１０】
上記の端末がネットワーク側機器との接続を再確立する原因は、端末のハンドオーバー失敗、無線リンク失敗、完全性保護失敗、ＲＲＣ再構成失敗等の状況により、当該端末の接続再確立過程がトリガーされることを含むことを、理解すべきである。本発明の実施例は、端末の接続再確立のトリガー条件に対し具体的に限定しない。
【０１１１】
なお、上記のネットワーク側機器は、端末が接続再確立を行う前にアクセスしているネットワーク側機器であってもよく、即ち、ソースネットワーク側機器であってもよいし、また、端末がハンドオーバーしようとしているターゲットネットワーク側機器であってもよいことを、理解すべきである。
【０１１２】
例えば、端末は、当該端末のハンドオーバー失敗により、当該端末とソースネットワーク側機器との接続再確立がトリガーされると、接続再確立要求メッセージをソースネットワーク側機器に送信することによって、ソースネットワーク側機器のシステム情報をソースネットワーク側機器に要求してもよく、この時、ソースネットワーク側機器が、上記のネットワーク側機器である。端末は、当該端末とソースネットワーク側機器との無線リンクに故障が発生されると、接続再確立要求メッセージを、ターゲットネットワーク側機器に送信することによって、ターゲットネットワーク側機器のシステム情報を、ターゲットネットワーク側機器に要求してもよく、この時、ターゲットネットワーク側機器が、上記のネットワーク側機器である。
【０１１３】
オプションとして、一実施例として、ステップ１２０において、前記端末が、前記システム情報を受信することは、前記端末が、前記ネットワーク側機器によって送信された、前記システム情報が含まれる接続再確立メッセージを受信することを含み、前記接続再確立メッセージは、前記ネットワーク側機器との接続を再び確立するように、端末に指示するために用いられる。
【０１１４】
具体的に、端末は、当該端末がネットワーク側機器との接続を再確立する際に、ネットワーク側機器によって送信された、端末が使用する必要があるネットワーク側機器のシステム情報が含まれる接続再確立メッセージを受信する。
【０１１５】
上記の接続再確立メッセージは、ＲＲＣ接続再確立メッセージであってもよいし、将来の５Ｇシステムに規定される、上記のＲＲＣ接続再確立メッセージの作用と同一な専用制御シグナリングであってもよく、本発明はこれらに対し具体的に限定しないことを、理解すべきである。
【０１１６】
なお、上記の端末が再確立接続を行う原因は、端末のハンドオーバー失敗、無線リンク失敗、完全性保護失敗、ＲＲＣ再構成失敗等の状況により、当該端末の接続再確立過程がトリガーされることを含むことを、理解すべきである。本発明の実施例は、端末の接続再確立のトリガー条件に対し具体的に限定しない。
【０１１７】
オプションとして、一実施例として、ステップ１１０において、前記端末が、専用制御シグナリングを使用して、端末が使用する必要があるシステム情報を、ネットワーク側機器に要求することは、前記端末が、接続再確立完了メッセージを使用して、前記ネットワーク側機器の前記システム情報を、前記ネットワーク側機器に要求することを含み、前記接続再確立完了メッセージは、さらに、前記端末が、前記ネットワーク側機器との接続回復の確立を完了したことを示すために用いられる。
【０１１８】
具体的に、端末は、当該端末とネットワーク側機器との接続を再確立する際に、接続再確立完了メッセージを、ネットワーク側機器に送信することによって、当該接続再確立完了メッセージを使用して、端末が使用する必要がある当該ネットワーク側機器のシステム情報を、当該ネットワーク側機器に要求してもよい。
【０１１９】
上記の接続再確立完了メッセージは、ＲＲＣ接続再確立完了メッセージであってもよいし、将来の５Ｇシステムに規定される、上記のＲＲＣ接続再確立完了メッセージの作用と同一な専用制御シグナリングであってもよく、本発明はこれらに対し具体的に限定しないことを、理解すべきである。
【０１２０】
オプションとして、一実施例として、端末は、上記の接続再確立要求メッセージに、端末が使用する必要があるネットワーク側機器のシステム情報の識別子を、含めてもよく、当該システム情報の識別子は、システム情報の種類を示してもよい。
【０１２１】
上記の端末がネットワーク側機器との接続を再確立する原因は、端末のハンドオーバー失敗、無線リンク失敗、完全性保護失敗、ＲＲＣ再構成失敗等の状況により、当該端末の接続再確立過程がトリガーされることを、理解すべきである。本発明の実施例は、端末の接続再確立のトリガー条件に対し具体的に限定しない。
【０１２２】
なお、上記のネットワーク側機器は、端末が接続再確立を行う前にアクセスしているネットワーク側機器であってもよく、即ち、ソースネットワーク側機器であってもよいし、また、端末がハンドオーバーしようとしているターゲットネットワーク側機器であってもよいことを、理解すべきである。
【０１２３】
オプションとして、一実施例として、ステップ１２０において、前記端末が、前記システム情報を受信することは、前記端末が、前記ネットワーク側機器によって送信された、前記システム情報が含まれる第２の再構成メッセージを受信することを含み、前記第２の再構成メッセージは、さらに、前記ネットワーク側機器との接続を確立した後に、前記ネットワーク側機器との間の接続を変更するように、前記端末に指示するために用いられる。
【０１２４】
具体的に、端末は、当該端末がネットワーク側機器との接続を再確立する際に、ネットワーク側機器によって送信された、端末が使用する必要がある当該ネットワーク側機器のシステム情報が含まれる第２の再構成メッセージを受信してもよい。
【０１２５】
上記の第２の再構成メッセージは、ＲＲＣ再構成メッセージであってもよいし、将来の５Ｇシステムに規定される、上記のＲＲＣ再構成メッセージの作用と同一な専用制御シグナリングであってもよく、本発明はこれらに対し具体的に限定しないことを、理解すべきである。
【０１２６】
図４は、本発明のもう一実施例に係るシステム情報伝送方法を示す模式的なフローチャートである。図４に示した方法は、ステップ４１０〜ステップ４３０を含む。
【０１２７】
ステップ４１０において、端末とソースネットワーク側機器との無線接続が失敗される。
【０１２８】
具体的に、端末とソースネットワーク側機器との無線接続に失敗されて、当該端末とターゲットネットワーク側機器（即ち、上記のネットワーク側機器である）との接続再確立がトリガーされる。
【０１２９】
上記の端末とソースネットワーク側機器との無線接続失敗は、端末とターゲットネットワーク側機器との接続再確立がトリガーされる一例だけであり、本発明の実施例は端末の接続再確立プロセスがトリガーされる原因に対し具体的に限定しないことを、理解すべきである。
【０１３０】
ステップ４２０において、端末が、接続再確立要求メッセージを、ターゲットネットワーク側機器に送信する。
【０１３１】
具体的に、端末は、端末が使用する必要があるターゲットネットワーク側機器のシステム情報の識別子が含まれる接続再確立要求メッセージを、ターゲットネットワーク側機器に送信する。
【０１３２】
ステップ４３０において、端末が、ターゲットネットワーク側機器が送信した接続再確立メッセージを受信する。
【０１３３】
具体的に、端末は、ターゲットネットワーク側機器によって送信されたメッセージであって、ターゲットネットワーク側機器が上記のシステム情報の識別子に基づいて確定したメッセージであり、ターゲットネットワーク側機器のシステム情報が含まれるメッセージである、接続再確立メッセージを受信する。
【０１３４】
以上、図１〜図４を参照して、端末の観点から、本発明の実施例に係るシステム情報伝送方法を詳細に説明したが、以下は、図５および図６を参照して、ネットワーク側機器の観点から、本発明の実施例に係るシステム情報伝送方法を説明する。ネットワーク側機器側の観点から説明するシステム情報伝送方法中の端末とネットワーク側機器との相互作用および関連される特性、機能等は、端末側の観点から説明したシステム情報伝送方法に対応されるものであり、簡素化のために、ここでは繰り返して説明しないことを、理解すべきである。
【０１３５】
図５は、本発明のもう一実施例に係るシステム情報伝送方法を示す模式的なフローチャートであり、図５に示した方法は、ステップ５１０〜ステップ５２０を含む。
【０１３６】
ステップ５１０において、ネットワーク側機器が、端末が専用制御シグナリングを使用して要求した、前記端末が使用する必要があるシステム情報を受信する。
【０１３７】
上記のネットワーク側機器が、端末が専用制御シグナリングを使用して要求したネットワーク側機器のシステム情報を確定することは、端末が専用制御シグナリングを当該端末が現在アクセスしているネットワーク側機器（即ち、ソースネットワーク側機器である）を送信し、さらに、当該ソースネットワーク側機器が当該専用制御シグナリングをネットワーク側機器（即ち、ターゲットネットワーク側機器である）に送信して、当該ネットワーク側機器のシステム情報を要求することを、示してもよいし、また、端末が専用制御シグナリングを端末が現在アクセスしているネットワーク側機器（即ち、ソースネットワーク側機器である）に送信し、さらに、当該ソースネットワーク側機器が当該専用制御シグナリングに含まれたシステム情報の識別子をネットワーク側機器（即ち、ターゲットネットワーク側機器である）に送信して、当該第１のネットワーク側機器のシステム情報を要求することを、示してもよい説明する必要がある。
【０１３８】
オプションとして、前記端末が使用する必要があるシステム情報は、前記端末が更新する必要があるシステム情報を含む。
【０１３９】
ステップ５２０において、前記ネットワーク側機器が、前記システム情報を、前記端末に送信する。
【０１４０】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０１４１】
オプションとして、一実施例として、前記ネットワーク側機器は、前記端末が現在アクセスしているソースネットワーク側機器であり、前記ネットワーク側機器が、前記システム情報を、前記端末に送信する前に、前記ネットワーク側機器が、前記専用制御シグナリングを、ターゲットネットワーク側機器に送信することと、前記ネットワーク側機器が、前記ターゲットネットワーク側機器が送信した前記システム情報を受信することとをさらに含み、ここで、前記ターゲットネットワーク側機器は、前記端末がハンドオーバーしようとするネットワーク側機器であり、前記ネットワーク側機器が、前記システム情報を、前記端末に送信することは、前記ネットワーク側機器が、前記システム情報を、前記端末に送信することとを含む。
【０１４２】
オプションとして、一実施例として、前記ネットワーク側機器は、前記端末が現在アクセスしているソースネットワーク側機器であり、前記ネットワーク側機器が、前記システム情報を、前記端末に送信する前に、前記ネットワーク側機器が、前記システム情報の識別子を、ターゲットネットワーク側機器に送信するとと、前記ネットワーク側機器が、前記ターゲットネットワーク側機器が送信した前記システム情報を受信することとをさらに含み、ここで、前記ターゲットネットワーク側機器は、前記端末がハンドオーバーしようとするネットワーク側機器であり、前記システム情報は、前記ネットワーク側機器が前記システム情報の識別子に基づいて確定したものであり、前記ネットワーク側機器が、前記システム情報を、前記端末に送信することは、前記ネットワーク側機器が、前記システム情報を、前記端末に送信することとを含む。
【０１４３】
オプションとして、一実施例として、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【０１４４】
上記の専用制御シグナリングは、無線リソース制御（ＲＲＣ：Ｒａｄｉｏ  Ｒｅｓｏｕｒｃｅ  Ｃｏｎｔｒｏｌ）測定報告であってもよいし、将来の５Ｇシステムに規定される、上記の測定報告の作用と同一な専用制御シグナリングであってもよいし、その他のシステムが端末が送信するように要求する専用シグナリングであってもよく、本発明はこれらに対し具体的に限定しないことを、理解すべきである。
【０１４５】
オプションとして、一実施例として、前記ネットワーク側機器が、端末が専用制御シグナリングを使用して要求した、前記端末が使用する必要があるシステム情報を受信することは、前記ネットワーク側機器が、前記端末が送信したハンドオーバー完了メッセージに基づいて、前記ネットワーク側機器の前記システム情報を、確定することを含み、前記ハンドオーバー完了メッセージは、さらに、前記端末が前記ネットワーク側機器へハンドオーバーしたことを示すために用いられる。
【０１４６】
上記のハンドオーバー完了メッセージは、ＲＲＣ再構成完了メッセージであってもよいし、将来の５Ｇシステムに規定される、上記のＲＲＣ再構成完了メッセージの作用と同一な専用制御シグナリングであってもよく、本発明はこれらに対し具体的に限定しないことを、理解すべきである。
【０１４７】
オプションとして、一実施例として、前記ネットワーク側機器が、前記システム情報を、前記端末に送信することは、前記ネットワーク側機器が、前記システム情報が含まれる第１の再構成メッセージを、前記端末に送信することを含み、前記第１の再構成メッセージは、さらに、前記ネットワーク側機器へハンドオーバーした後に、前記ネットワーク側機器との間の接続を変更するように、前記端末に指示するために用いられる。
【０１４８】
上記の第１の再構成メッセージは、ＲＲＣ再構成メッセージであってもよいし、端末が上記のハンドオーバー完了メッセージをネットワーク側機器に送信した後の任意の再構成メッセージであってもよいし、将来の５Ｇシステムに規定される、上記のＲＲＣ再構成完了メッセージの作用と同一な専用制御シグナリングであってもよいことを、説明する必要がある、。例えば、上記の第１の再構成メッセージは、端末再構成無線ベアラ、データ無線ベアラ、伝送チャネル、および、物理チャネルを示す再構成メッセージであってもよい。
【０１４９】
オプションとして、一実施例として、前記ネットワーク側機器が、端末が専用制御シグナリングを使用して要求した、前記端末が使用する必要があるシステム情報を受信することは、前記ネットワーク側機器が、前記端末が送信した接続再確立要求メッセージに基づいて、前記ネットワーク側機器の前記システム情報を、確定することを含み、前記接続再確立要求メッセージは、さらに、前記端末が、前記ネットワーク側機器との接続回復を要求するように構成される。
【０１５０】
上記の接続再確立要求メッセージは、ＲＲＣ接続再確立要求メッセージであってもよいし、将来の５Ｇシステムに規定される、上記のＲＲＣ接続再確立要求メッセージの作用と同一な専用制御シグナリングであってもよく、本発明はこれらに対し具体的に限定しないことを、理解すべきである。
【０１５１】
オプションとして、一実施例として、前記ネットワーク側機器が、前記システム情報を、前記端末に送信することは、前記ネットワーク側機器が、前記システム情報が含まれる接続再確立メッセージを、前記端末に送信することを含み、前記接続再確立メッセージは、さらに、前記ネットワーク側機器との接続を再び確立するように、端末に指示するために用いられる。
【０１５２】
上記の接続再確立メッセージは、ＲＲＣ接続再確立メッセージであってもよいし、将来の５Ｇシステムに規定される、上記のＲＲＣ接続再確立メッセージの作用と同一な専用制御シグナリングであってもよく、本発明はこれらに対し具体的に限定しないことを、理解すべきである。
【０１５３】
オプションとして、一実施例として、前記ネットワーク側機器が、端末が専用制御シグナリングを使用して要求した、前記端末が使用する必要があるシステム情報を受信することは、前記ネットワーク側機器が、前記端末が送信した接続再確立完了メッセージに基づいて、前記ネットワーク側機器の前記システム情報を、確定することを含み、前記接続再確立完了メッセージは、さらに、前記端末が、前記ネットワーク側機器との接続回復の確立を完了したことを示すために用いられる。
【０１５４】
上記の接続再確立完了メッセージは、ＲＲＣ接続再確立完了メッセージであってもよいし、将来の５Ｇシステムに規定される、上記のＲＲＣ接続再確立完了メッセージの作用と同一な専用制御シグナリングであってもよく、本発明はこれらに対し具体的に限定しないことを、理解すべきである。
【０１５５】
オプションとして、一実施例として、前記ネットワーク側機器が、前記システム情報を、前記端末に送信することは、前記ネットワーク側機器が、前記システム情報が含まれる第２の再構成メッセージを、前記端末に送信することを含み、前記第２の再構成メッセージは、前記ターゲットネットワーク側機器との接続を確立した後に、前記ターゲットネットワーク側機器との間の接続を変更するように、前記端末に指示するために用いられる。
【０１５６】
上記の第２の再構成メッセージは、ＲＲＣ再構成メッセージであってもよいし、将来の５Ｇシステムに規定される、上記のＲＲＣ再構成メッセージの作用と同一な専用制御シグナリングであってもよく、本発明はこれらに対し具体的に限定しないことを、理解すべきである。
【０１５７】
図６は、本発明のもう一実施例に係るシステム情報伝送方法を示す模式的なフローチャートであり、図６に示した方法は、ステップ６１０〜ステップ６３０を含む。
【０１５８】
ステップ６１０において、ターゲットネットワーク側機器が、ソースネットワーク側機器が送信したシステム情報の識別子を受信し、ここで、前記ソースネットワーク側機器は、前記端末が現在アクセスしているネットワーク側機器であり、前記ターゲットネットワーク側機器は、前記端末が、前記ソースネットワーク側機器からハンドオーバーしようとしているネットワーク側機器である。
【０１５９】
ステップ６２０において、前記ターゲットネットワーク側機器が、前記システム情報の識別子に基づいて、前記端末が使用する必要がある前記システム情報を確定する。
【０１６０】
ステップ６３０において、前記ターゲットネットワーク側機器が、前記ソースネットワーク側機器を介して、前記システム情報を、前記端末に送信する。
【０１６１】
本発明の実施例において、端末が、自身の需要によって、専用制御シグナリングを使用して、端末が使用する必要があるシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０１６２】
オプションとして、一実施例として、前記ターゲットネットワーク側機器が、ソースネットワーク側機器が送信したシステム情報の識別子を受信することは、前記ターゲットネットワーク側機器が、ソースネットワーク側機器によって送信された、前記システム情報の識別子が含まれる専用制御シグナリングを受信することを含む。
【０１６３】
オプションとして、一実施例として、前記端末が使用する必要があるシステム情報は、前記端末が更新する必要があるシステム情報を含む。
【０１６４】
以上、図１〜図６を参照して、本発明の実施例に係るシステム情報伝送方法を詳細に説明したが、以下は、図７〜図１２を参照して、本発明の実施例に係るシステム情報伝送装置を詳細に説明する。図７及び図１０に示した装置は、図１中の各ステップを実現することができ、図８及び図１１に示した装置は、図２中の各ステップを実現することができ、図９及び図１２に示した装置は、図３中の各ステップを実現することができ、重複を避けるために、ここでは繰り返して説明しないことを、理解すべきである。
【０１６５】
図７は、本発明の実施例に係るシステム情報伝送装置を示す模式的なフロック図である。図７に示した装置７００は、要求モジュール７１０と受信モジュール７２０とを含む。
【０１６６】
要求モジュール７１０は、専用制御シグナリングを使用して、端末が使用する必要があるシステム情報を、ネットワーク側機器に要求するように構成され、
受信モジュール７２０は、前記システム情報を受信するように構成される。
【０１６７】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０１６８】
オプションとして、一実施例として、前記ネットワーク側機器は、前記端末が現在アクセスしているソースネットワーク側機器であり、前記要求モジュールは、具体的に、専用制御シグナリングを使用して、前記ソースネットワーク側機器に、前記システム情報を要求するように構成され、前記受信モジュールは、具体的に、前記ソースネットワーク側機器によって転送された前記ターゲットネットワーク側機器の前記システム情報を受信するように構成され、前記ターゲットネットワーク側機器は、前記端末が、前記ソースネットワーク側機器からハンドオーバーしようとしているネットワーク側機器である。
【０１６９】
オプションとして、一実施例として、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【０１７０】
オプションとして、一実施例として、前記要求モジュールは、具体的に、さらに、ハンドオーバー完了メッセージを使用して、前記ネットワーク側機器の前記システム情報を、前記ネットワーク側機器に要求するように構成され、前記ハンドオーバー完了メッセージは、さらに、前記端末が前記ネットワーク側機器へハンドオーバーしたことを示すために用いられる。
【０１７１】
オプションとして、一実施例として、前記受信モジュールは、具体的に、さらに、前記ネットワーク側機器によって送信された、前記システム情報が含まれる第１の再構成メッセージを受信するように構成され、前記第１の再構成メッセージは、さらに、前記ネットワーク側機器へハンドオーバーした後に、前記ネットワーク側機器との間の接続を変更するように、前記端末に指示するために用いられる。
【０１７２】
オプションとして、一実施例として、前記要求モジュールは、具体的に、さらに、接続再確立要求メッセージを使用して、前記ネットワーク側機器の前記システム情報を、前記ネットワーク側機器に要求するように構成され、前記接続再確立要求メッセージは、さらに、前記端末が、前記ネットワーク側機器との接続回復を要求するように構成される。
【０１７３】
オプションとして、一実施例として、前記受信モジュールは、具体的に、さらに、前記ネットワーク側機器によって送信された、前記システム情報が含まれる接続再確立メッセージを受信するように構成され、前記接続再確立メッセージは、前記ネットワーク側機器との接続を再び確立するように、端末に指示するために用いられる。
【０１７４】
オプションとして、一実施例として、前記要求モジュールは、具体的に、さらに、接続再確立完了メッセージを使用して、前記ネットワーク側機器の前記システム情報を、前記ネットワーク側機器に要求するように構成され、前記接続再確立完了メッセージは、さらに、前記端末が、前記ネットワーク側機器との接続回復の確立を完了したことを示すために用いられる。
【０１７５】
オプションとして、一実施例として、前記受信モジュールは、具体的に、さらに、前記ネットワーク側機器によって送信された、前記システム情報が含まれる第２の再構成メッセージを受信するように構成され、前記第２の再構成メッセージは、さらに、前記ネットワーク側機器との接続を確立した後に、前記ネットワーク側機器との間の接続を変更するように、前記端末に指示するために用いられる。
【０１７６】
オプションとして、一実施例として、前記端末が使用する必要があるシステム情報は、前記端末が更新する必要があるシステム情報を含む。
【０１７７】
図８は、本発明のもう一実施例に係るシステム情報伝送装置を示す模式的なフロック図である。図８に示した装置８００は、第１の受信モジュール８１０と第１の送信モジュール８２０とを含む。
【０１７８】
第１の受信モジュール８１０は、端末が専用制御シグナリングを使用して要求した、前記端末が使用する必要があるシステム情報を受信するように構成され、
第１の送信モジュール８２０は、前記システム情報を、前記端末に送信するように構成される。
【０１７９】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０１８０】
オプションとして、一実施例として、前記ネットワーク側機器は、前記端末が現在アクセスしているソースネットワーク側機器であり、前記装置は、前記専用制御シグナリングを、ターゲットネットワーク側機器に送信するための第２の送信モジュールと、前記ターゲットネットワーク側機器が送信した前記システム情報を受信するための第２の受信モジュールとをさらに含み、ここで、前記ターゲットネットワーク側機器は、前記端末がハンドオーバーしようとするネットワーク側機器であり、前記第１の送信モジュールは、具体的に、前記システム情報を、前記端末に送信するように構成される。
【０１８１】
オプションとして、一実施例として、前記ネットワーク側機器は、前記端末が現在アクセスしているソースネットワーク側機器であり、前記装置は、前記システム情報の識別子を、ターゲットネットワーク側機器に送信するための第３の送信モジュールと、前記ターゲットネットワーク側機器が送信した前記システム情報を受信するための第３の受信モジュールとをさらに含み、ここで、前記ターゲットネットワーク側機器は、前記端末がハンドオーバーしようとするネットワーク側機器であり、前記システム情報は、前記ネットワーク側機器が前記システム情報の識別子に基づいて確定したものであり、前記第１の送信モジュールは、具体的に、前記システム情報を、前記端末に送信するように構成される。
【０１８２】
オプションとして、一実施例として、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【０１８３】
オプションとして、一実施例として、前記第１の受信モジュールは、具体的に、さらに、前記端末が送信したハンドオーバー完了メッセージに基づいて、前記ネットワーク側機器の前記システム情報を、確定するように構成され、前記ハンドオーバー完了メッセージは、さらに、前記端末が前記ネットワーク側機器へハンドオーバーしたことを示すために用いられる。
【０１８４】
オプションとして、一実施例として、前記第１の送信モジュールは、具体的に、さらに、前記システム情報が含まれる第１の再構成メッセージを、前記端末に送信するように構成され、前記第１の再構成メッセージは、さらに、前記ネットワーク側機器へハンドオーバーした後に、前記ネットワーク側機器との間の接続を変更するように、前記端末に指示するために用いられる。
【０１８５】
オプションとして、一実施例として、前記第１の受信モジュールは、具体的に、さらに、前記端末が送信した接続再確立要求メッセージに基づいて、前記ネットワーク側機器の前記システム情報を、確定するように構成され、前記接続再確立要求メッセージは、さらに、前記端末が、前記ネットワーク側機器との接続回復を要求するように構成される。
【０１８６】
オプションとして、一実施例として、前記第１の送信モジュールは、具体的に、さらに、前記システム情報が含まれる接続再確立メッセージを、前記端末に送信するように構成され、前記接続再確立メッセージは、さらに、前記ネットワーク側機器との接続を再び確立するように、端末に指示するために用いられる。
【０１８７】
オプションとして、一実施例として、前記第１の受信モジュールは、具体的に、さらに、前記端末が送信した接続再確立完了メッセージに基づいて、前記ネットワーク側機器の前記システム情報を、確定するように構成され、前記接続再確立完了メッセージは、さらに、前記端末が、前記ネットワーク側機器との接続回復の確立を完了したことを示すために用いられる。
【０１８８】
オプションとして、一実施例として、前記第１の送信モジュールは、具体的に、さらに、前記システム情報が含まれる第２の再構成メッセージを、前記端末に送信するように構成され、前記第２の再構成メッセージは、前記ターゲットネットワーク側機器との接続を確立した後に、前記ターゲットネットワーク側機器との間の接続を変更するように、前記端末に指示するために用いられる。
【０１８９】
オプションとして、一実施例として、前記端末が使用する必要があるシステム情報は、前記端末が更新する必要があるシステム情報を含む。
【０１９０】
図９は、本発明の実施例に係るシステム情報伝送装置を示す模式的なフロック図である。図９に示した装置９００は、受信モジュール９１０と確定モジュール９２０と送信モジュール９３０を含む。
【０１９１】
受信モジュール９１０は、ソースネットワーク側機器が送信したシステム情報の識別子を受信するように構成され、前記ソースネットワーク側機器は、前記端末が現在アクセスしているネットワーク側機器であり、前記ターゲットネットワーク側機器は、前記端末が、前記ソースネットワーク側機器からハンドオーバーしようとしているネットワーク側機器であり、
確定モジュール９２０は、前記システム情報の識別子に基づいて、前記端末が使用する必要がある前記システム情報を確定するように構成され、
送信モジュール９３０は、前記ソースネットワーク側機器を介して、前記システム情報を、前記端末に送信するように構成される。
【０１９２】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０１９３】
オプションとして、一実施例として、前記受信モジュールは、具体的に、ソースネットワーク側機器によって送信された、前記システム情報の識別子が含まれる専用制御シグナリングを受信するように構成される。
【０１９４】
オプションとして、一実施例として、前記端末が使用する必要があるシステム情報は、前記端末が更新する必要があるシステム情報を含む。
【０１９５】
図１０は、本発明の実施例に係るシステム情報伝送装置を示す模式的なフロック図である。図１０に示した装置１０００は、メモリ１０１０と、プロセッサ１０２０と、入出力インタフェース１０３０と、通信インタフェース１０４０と、バスシステム１０５０とを含む。ここで、メモリ１０１０、プロセッサ１０２０、入出力インタフェース１０３０、および、通信インタフェース１０４０は、バスシステム１０５０によって接続される。当該メモリ１０１０命令を記憶するように構成され、当該プロセッサ１０２０は、当該メモリ１０１０に記憶されている命令を実行するように構成されて、入出力インタフェース１０３０が、入力されたデータおよび情報を受信し、操作結果等のデータを出力するように、制御し、また、通信インタフェース１０４０が信号を送信するように、制御する。
【０１９６】
通信インタフェース１０４０は、専用制御シグナリングを使用して、端末が使用する必要があるシステム情報を、ネットワーク側機器に要求するように構成され、さらに、前記システム情報を受信するように構成される。
【０１９７】
本発明の実施例において、当該プロセッサ１０２０は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０１９８】
また、通信インタフェース１０４０は、例えば、トランシーバのような送受信装置を使用して、モバイル端末１０００と他の機器または通信ネットワークとの間の通信を実現してもよいが、これらに限定されないことを、理解すべきである。
【０１９９】
当該メモリ１０１０は、読み取り専用メモリおよびランダムアクセスメモリを含んでもよく、プロセッサ１０２０に対して命令およびデータを提供するために使用される。プロセッサ１０２０の一部は、さらに、不揮発性ランダムアクセスメモリを含んでもよい。例えば、プロセッサ１０２０は、さらに、設備タイプの情報を記憶してもよい。
【０２００】
当該バスシステム１０５０、データバス以外に、さらに、電源バス、制御バス、および、状態信号バスなどを含んでもよい。しかし、明確に説明するために、図面ではさまざまなバスをいずれもバスシステム１０５０として表記した。
【０２０１】
実現過程において、上記方法の各ステップは、プロセッサ１０２０におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。当該記憶媒質は、メモリ１０１０に位置し、プロセッサ１０２０はメモリ１０１０において命令を実行し、そのハードウェアと組み合わせて上記方法のステップを完成する。重複を避けるために、ここで省略する。
【０２０２】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０２０３】
オプションとして、一実施例として、前記ネットワーク側機器は、前記端末が現在アクセスしているソースネットワーク側機器であり、前記通信インタフェースは、具体的に、専用制御シグナリングを使用して、前記ソースネットワーク側機器に、前記システム情報を要求するように構成され、前記通信インタフェースは、具体的に、前記ソースネットワーク側機器によって転送された前記ターゲットネットワーク側機器の前記システム情報を受信するように構成され、ここで、前記ターゲットネットワーク側機器は、前記端末が、前記ソースネットワーク側機器からハンドオーバーしようとしているネットワーク側機器である。
【０２０４】
オプションとして、一実施例として、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【０２０５】
オプションとして、一実施例として、前記通信インタフェースは、具体的に、さらに、ハンドオーバー完了メッセージを使用して、前記ネットワーク側機器の前記システム情報を、前記ネットワーク側機器に要求するように構成され、前記ハンドオーバー完了メッセージは、さらに、前記端末が前記ネットワーク側機器へハンドオーバーしたことを示すために用いられる。
【０２０６】
オプションとして、一実施例として、前記通信インタフェースは、具体的に、さらに、前記ネットワーク側機器によって送信された、前記システム情報が含まれる第１の再構成メッセージを受信するように構成され、前記第１の再構成メッセージは、さらに、前記ネットワーク側機器へハンドオーバーした後に、前記ネットワーク側機器との間の接続を変更するように、前記端末に指示するために用いられる。
【０２０７】
オプションとして、一実施例として、前記通信インタフェースは、具体的に、さらに、接続再確立要求メッセージを使用して、前記ネットワーク側機器の前記システム情報を、前記ネットワーク側機器に要求するように構成され、前記接続再確立要求メッセージは、さらに、前記端末が、前記ネットワーク側機器との接続回復を要求するように構成される。
【０２０８】
オプションとして、一実施例として、前記通信インタフェースは、具体的に、さらに、前記ネットワーク側機器によって送信された、前記システム情報が含まれる接続再確立メッセージを受信するように構成され、前記接続再確立メッセージは、前記ネットワーク側機器との接続を再び確立するように、端末に指示するために用いられる。
【０２０９】
オプションとして、一実施例として、前記通信インタフェースは、具体的に、さらに、接続再確立完了メッセージを使用して、前記ネットワーク側機器の前記システム情報を、前記ネットワーク側機器に要求するように構成され、前記接続再確立完了メッセージは、さらに、前記端末が、前記ネットワーク側機器との接続回復の確立を完了したことを示すために用いられる。
【０２１０】
オプションとして、一実施例として、前記通信インタフェースは、具体的に、さらに、前記ネットワーク側機器によって送信された、前記システム情報が含まれる第２の再構成メッセージを受信するように構成され、前記第２の再構成メッセージは、さらに、前記ネットワーク側機器との接続を確立した後に、前記ネットワーク側機器との間の接続を変更するように、前記端末に指示するために用いられる。
【０２１１】
オプションとして、一実施例として、前記端末が使用する必要があるシステム情報は、前記端末が更新する必要があるシステム情報を含む。
【０２１２】
図１１は、本発明のもう一実施例に係るシステム情報伝送装置を示す模式的なフロック図である。図１１に示した装置１１００は、メモリ１１１０と、プロセッサ１１２０と、入出力インタフェース１１３０と、通信インタフェース１１４０と、バスシステム１１５０とを含む。ここで、メモリ１１１０、プロセッサ１１２０、入出力インタフェース１１３０、および、通信インタフェース１１４０は、バスシステム１１５０によって接続される。当該メモリ１１１０は、命令を記憶するように構成され、当該プロセッサ１１２０は、当該メモリ１１１０に記憶されている命令を実行するように構成されて、入力されたデータおよび情報を受信し、操作結果等のデータを出力するように入出力インタフェース１１３０を制御し、また、信号を送信するように通信インタフェース１１４０を制御する。
【０２１３】
プロセッサ１１２０は、端末が専用制御シグナリングを使用して要求した、前記端末が使用する必要があるシステム情報を受信するように構成され、
通信インタフェース１１４０は、前記システム情報を、前記端末に送信するように構成される。
【０２１４】
本発明の実施例において、当該プロセッサ１１２０は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０２１５】
また、通信インタフェース１１４０は、例えば、トランシーバのような送受信装置を使用して、モバイル端末１１００と他の機器または通信ネットワークとの間の通信を実現してもよいが、これらに限定されないことを、理解すべきである。
【０２１６】
当該メモリ１１１０は、読み取り専用メモリおよびランダムアクセスメモリを含んでもよく、プロセッサ１１２０に対して命令およびデータを提供するために使用される。プロセッサ１１２０の一部は、さらに、不揮発性ランダムアクセスメモリを含んでもよい。例えば、プロセッサ１１２０は、さらに、設備タイプの情報を記憶してもよい。
【０２１７】
当該バスシステム１１５０は、データバス以外に、さらに、電源バス、制御バス、および、状態信号バスなどを含んでもよい。しかし、明確に説明するために、図面ではさまざまなバスをいずれもバスシステム１１５０として表記した。
【０２１８】
実現過程において、上記方法の各ステップは、プロセッサ１１２０におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリ１１１０に位置し、プロセッサ１１２０はメモリ１１１０におけ命令を実行し、そのハードウェアと組み合わせて上記方法のステップを完成する。重複を避けるために、ここで省略する。
【０２１９】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０２２０】
オプションとして、一実施例として、前記ネットワーク側機器は、前記端末が現在アクセスしているソースネットワーク側機器であり、前記通信インタフェースは、前記専用制御シグナリングを、ターゲットネットワーク側機器に送信するように構成され、また、前記ターゲットネットワーク側機器が送信した前記システム情報を受信して、前記システム情報を、前記端末に送信するように構成され、ここで、前記ターゲットネットワーク側機器は、前記端末がハンドオーバーしようとするネットワーク側機器である。
【０２２１】
オプションとして、一実施例として、前記ネットワーク側機器は、前記端末が現在アクセスしているソースネットワーク側機器であり、前記通信インタフェースは、前記システム情報の識別子を、ターゲットネットワーク側機器に送信するように構成され、また、前記ターゲットネットワーク側機器が送信した前記システム情報を受信して、前記システム情報を、前記端末に送信するように構成され、ここで、前記ターゲットネットワーク側機器は、前記端末がハンドオーバーしようとするネットワーク側機器であり、前記システム情報は、前記ネットワーク側機器が前記システム情報の識別子に基づいて確定したものである。
【０２２２】
オプションとして、一実施例として、前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含む。
【０２２３】
オプションとして、一実施例として、前記通信インタフェースは、具体的に、さらに、前記端末が送信したハンドオーバー完了メッセージに基づいて、前記ネットワーク側機器の前記システム情報を、確定するように構成され、前記ハンドオーバー完了メッセージは、さらに、前記端末が前記ネットワーク側機器へハンドオーバーしたことを示すために用いられる。
【０２２４】
オプションとして、一実施例として、前記通信インタフェースは、具体的に、さらに、前記システム情報が含まれる第１の再構成メッセージを、前記端末に送信するように構成され、前記第１の再構成メッセージは、さらに、前記ネットワーク側機器へハンドオーバーした後に、前記ネットワーク側機器との間の接続を変更するように、前記端末に指示するために用いられる。
【０２２５】
オプションとして、一実施例として、前記通信インタフェースは、具体的に、さらに、前記端末が送信した接続再確立要求メッセージに基づいて、前記ネットワーク側機器の前記システム情報を、確定するように構成され、前記接続再確立要求メッセージは、さらに、前記端末が、前記ネットワーク側機器との接続回復を要求するように構成される。
【０２２６】
オプションとして、一実施例として、前記通信インタフェースは、具体的に、さらに、前記システム情報が含まれる接続再確立メッセージを、前記端末に送信するように構成され、前記接続再確立メッセージは、さらに、前記ネットワーク側機器との接続を再び確立するように、端末に指示するために用いられる。
【０２２７】
オプションとして、一実施例として、前記通信インタフェースは、具体的に、さらに、前記端末が送信した接続再確立完了メッセージに基づいて、前記ネットワーク側機器の前記システム情報を、確定するように構成され、前記接続再確立完了メッセージは、さらに、前記端末が、前記ネットワーク側機器との接続回復の確立を完了したことを示すために用いられる。
【０２２８】
オプションとして、一実施例として、前記通信インタフェースは、具体的に、さらに、前記システム情報が含まれる第２の再構成メッセージを、前記端末に送信するように構成され、前記第２の再構成メッセージは、前記ターゲットネットワーク側機器との接続を確立した後に、前記ターゲットネットワーク側機器との間の接続を変更するように、前記端末に指示するために用いられる。
【０２２９】
オプションとして、一実施例として、前記端末が使用する必要があるシステム情報は、前記端末が更新する必要があるシステム情報を含む。
【０２３０】
図１２は、本発明のもう一実施例に係るシステム情報伝送装置を示す模式的なフロック図である。図１２に示した装置１２００は、メモリ１２１０と、プロセッサ１２２０と、入出力インタフェース１２３０と、通信インタフェース１２４０と、バスシステム１２５０とを含む。ここで、メモリ１２１０、プロセッサ１２２０、入出力インタフェース１２３０、および、通信インタフェース１２４０は、バスシステム１２５０によって接続される。当該メモリ１２１０は、命令を記憶するように構成され、当該プロセッサ１２２０は、当該メモリ１２１０に記憶されている命令を実行するように構成されて、入力されたデータおよび情報を受信し、操作結果等のデータを出力するように入出力インタフェース１２３０を制御し、また、信号を送信するように通信インタフェース１２４０を制御する。
【０２３１】
通信インタフェース１２４０は、ソースネットワーク側機器が送信したシステム情報の識別子を受信するように構成され、前記ソースネットワーク側機器は、前記端末が現在アクセスしているネットワーク側機器であり、前記ターゲットネットワーク側機器は、前記端末が、前記ソースネットワーク側機器からハンドオーバーしようとしているネットワーク側機器であり、
プロセッサ１２２０は、前記システム情報の識別子に基づいて、前記端末が使用する必要がある前記システム情報を確定するように構成され、
通信インタフェース１２４０は、前記ソースネットワーク側機器を介して、前記システム情報を、前記端末に送信するように構成される。
【０２３２】
本発明の実施例において、当該プロセッサ１２２０は、汎用の中央プロセッサ（ＣＰＵ：Ｃｅｎｔｒａｌ  Ｐｒｏｃｅｓｓｉｎｇ  Ｕｎｉｔ）、マイクロプロセッサ、アプリケーション専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、或いは、一つ又は複数の集積回路を採用して、関連するプログラムを実行することによって、本発明の実施例によって提供される技術案を実現してもよいことを、理解すべきである。
【０２３３】
また、通信インタフェース１２４０は、例えば、トランシーバのような送受信装置を使用して、モバイル端末１２００と他の機器または通信ネットワークとの間の通信を実現してもよいが、これらに限定されないことを、理解すべきである。
【０２３４】
当該メモリ１２１０は、読み取り専用メモリおよびランダムアクセスメモリを含んでもよく、プロセッサ１２２０に対して命令およびデータを提供するために使用される。プロセッサ１２２０の一部は、さらに、不揮発性ランダムアクセスメモリを含んでもよい。例えば、プロセッサ１２２０は、さらに、設備タイプの情報を記憶してもよい。
【０２３５】
当該バスシステム１２５０は、データバス以外に、さらに、電源バス、制御バス、および、状態信号バスなどを含んでもよい。しかし、明確に説明するために、図面ではさまざまなバスをいずれもバスシステム１２５０として表記した。
【０２３６】
実現過程において、上記方法の各ステップは、プロセッサ１２２０におけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリ１２１０に位置し、プロセッサ１２２０はメモリ１２１０におけ命令を実行し、そのハードウェアと組み合わせて上記方法のステップを完成する。重複を避けるために、ここで省略する。
【０２３７】
本発明の実施例において、端末が、自身の需要によって、専用制御シグナリングを使用して、ネットワーク側機器のシステム情報を、ネットワーク側機器に要求することができるので、システム情報を伝送するのに使用する伝送リソースを節約して、従来技術で基地局がブロードキャストの方式によってシステム情報を伝送することを起因とする伝送リソースの浪費を避けた。
【０２３８】
オプションとして、一実施例として、前記受信モジュールは、具体的に、ソースネットワーク側機器によって送信された、前記システム情報の識別子が含まれる専用制御シグナリングを受信するように構成される。
【０２３９】
オプションとして、一実施例として、前記端末が使用する必要があるシステム情報は、前記端末が更新する必要があるシステム情報を含む。
【０２４０】
本発明の実施例において、「Ａに対応されるＢ」は、ＢがＡと関連されることを示し、Ａに基づいてＢを確定できることを、理解すべきである。しかし、Ａに基づいてＢを確定できることは、Ａのみに基づいてＢを確定できることを意味することでなく、また、Ａ及び／或いはその他の情報に基づいてＢを確定できることを、理解すべきである。
【０２４１】
なお、本願における用語である「及び／或いは」は、単なる関連対象の対応関係を説明しているだけであり、３つの関係が表されることができる。例えば、Ａ及び／又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【０２４２】
本発明の各実施例において、上記の各過程の番号は実施の前後順序と意味せず、各過程の実施順序は、その機能と自身のロジックによって確定されるべきであり、本発明の実施例の実施過程を制限するものになるわけではないことを、理解すべきである。
【０２４３】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０２４４】
当業者は、説明の便利と簡潔上、上記に記載されているシステム、装置及びユニットの具体的な動作については、上記の方法実施例の対応されているフローを参照することができ、ここでそれ以上述べない。
【０２４５】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０２４６】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０２４７】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０２４８】
上記の集成されたユニットは、ソフトウェア機能モジュールの方式で実現し、しかも独立な製品として販売又は使用する時に、コンピュータ読み取り可能の媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、モバイル記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０２４９】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019525520.tif 000003
【図２】
2019525520.tif 000004
【図３】
2019525520.tif 000005
【図４】
2019525520.tif 000006
【図５】
2019525520.tif 000007
【図６】
2019525520.tif 000008
【図７】
2019525520.tif 000009
【図８】
2019525520.tif 000010
【図９】
2019525520.tif 000011
【図１０】
2019525520.tif 000012
【図１１】
2019525520.tif 000013
【図１２】
2019525520.tif 000014
【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
システム情報伝送方法であって、
端末が、専用制御シグナリングを使用して、端末が使用する必要があるシステム情報を、ネットワーク側機器に要求することと、
前記端末が、前記システム情報を受信することと
を含む、システム情報伝送方法。
【請求項２】
前記ネットワーク側機器は、前記端末が現在アクセスしているソースネットワーク側機器であり、
前記端末が、専用制御シグナリングを使用して、端末が使用する必要があるシステム情報を、ネットワーク側機器に要求することは、
前記端末が、専用制御シグナリングを使用して、前記ソースネットワーク側機器に、前記システム情報を要求することを含み、
前記端末が、前記システム情報を受信することは、
前記端末が、前記ソースネットワーク側機器によって転送されたターゲットネットワーク側機器の前記システム情報を受信することを含み、
ここで、前記ターゲットネットワーク側機器は、前記端末が、前記ソースネットワーク側機器からハンドオーバーしようとしているネットワーク側機器であることを特徴とする
請求項１に記載の方法。
【請求項３】
前記専用制御シグナリングは、測定報告を含み、前記測定報告は、前記端末が前記ソースネットワーク側機器の隣接セルを測定した測定結果を含み、前記隣接セルは、前記ターゲットネットワーク側機器のセルを含むことを特徴とする
請求項２に記載の方法。
【請求項４】
前記端末が、専用制御シグナリングを使用して、端末が使用する必要があるシステム情報を、ネットワーク側機器に要求することは、
前記端末が、ハンドオーバー完了メッセージを使用して、前記ネットワーク側機器の前記システム情報を、前記ネットワーク側機器に要求することを含み、
前記ハンドオーバー完了メッセージは、さらに、前記端末が前記ネットワーク側機器へハンドオーバーしたことを示すために用いられることを特徴とする
請求項１に記載の方法。
【請求項５】
前記端末が、前記システム情報を受信することは、
前記端末が、前記ネットワーク側機器によって送信された、前記システム情報が含まれる第１の再構成メッセージを受信することを含み、
前記第１の再構成メッセージは、さらに、前記ネットワーク側機器へハンドオーバーした後に、前記ネットワーク側機器との間の接続を変更するように、前記端末に指示するために用いられることを特徴とする
請求項１又は４に記載の方法。
【請求項６】
前記端末が、専用制御シグナリングを使用して、端末が使用する必要があるシステム情報を、ネットワーク側機器に要求することは、
前記端末が、接続再確立要求メッセージを使用して、前記ネットワーク側機器の前記システム情報を、前記ネットワーク側機器に要求することを含み、
前記接続再確立要求メッセージは、さらに、前記端末が、前記ネットワーク側機器との接続回復を要求するように構成されることを特徴とする
請求項１に記載の方法。
【請求項７】
前記端末が、前記システム情報を受信することは、
前記端末が、前記ネットワーク側機器によって送信された、前記システム情報が含まれる接続再確立メッセージを受信することを含み、
前記接続再確立メッセージは、前記ネットワーク側機器との接続を再び確立するように、前記端末に指示するために用いられることを特徴とする
請求項１又は６に記載の方法。
【請求項８】
前記端末が、専用制御シグナリングを使用して、端末が使用する必要があるシステム情報を、ネットワーク側機器に要求することは、
前記端末が、接続再確立完了メッセージを使用して、前記ネットワーク側機器の前記システム情報を、前記ネットワーク側機器に要求することを含み、
前記接続再確立完了メッセージは、さらに、前記端末が、前記ネットワーク側機器との接続回復の確立を完了したことを示すために用いられることを特徴とする
請求項１に記載の方法。
【請求項９】
前記端末が、前記システム情報を受信することは、
前記端末が、前記ネットワーク側機器によって送信された、前記システム情報が含まれる第２の再構成メッセージを受信することを含み、
前記第２の再構成メッセージは、さらに、前記ネットワーク側機器との接続を確立した後に、前記ネットワーク側機器との間の接続を変更するように、前記端末に指示するために用いられることを特徴とする
請求項１又は８に記載の方法。
【請求項１０】
前記端末が使用する必要があるシステム情報は、前記端末が更新する必要があるシステム情報を含むことを特徴とする
請求項１〜９のいずれか１項に記載の方法。
【請求項１１】
システム情報伝送方法であって、
ネットワーク側機器が、端末が専用制御シグナリングを使用して要求した、前記端末が使用する必要があるシステム情報を受信することと、
前記ネットワーク側機器が、前記システム情報を、前記端末に送信することと
を含む、システム情報伝送方法。
【請求項１２】
前記ネットワーク側機器は、前記端末が現在アクセスしているソースネットワーク側機器であり、
前記ネットワーク側機器が、前記システム情報を、前記端末に送信する前に、
前記ネットワーク側機器が、前記専用制御シグナリングを、ターゲットネットワーク側機器に送信することと、前記ネットワーク側機器が、前記ターゲットネットワーク側機器が送信した前記システム情報を受信することと、をさらに含み、ここで、前記ターゲットネットワーク側機器は、前記端末がハンドオーバーしようとするネットワーク側機器であり、前記ネットワーク側機器が、前記システム情報を、前記端末に送信することは、前記ネットワーク側機器が、前記システム情報を、前記端末に送信することを含み、
又は、
前記ネットワーク側機器が、前記システム情報の識別子を、ターゲットネットワーク側機器に送信するとと、前記ネットワーク側機器が、前記ターゲットネットワーク側機器が送信した前記システム情報を受信することと、をさらに含み、ここで、前記ターゲットネットワーク側機器は、前記端末がハンドオーバーしようとするネットワーク側機器であり、前記システム情報は、前記ネットワーク側機器が前記システム情報の識別子に基づいて確定したものであり、前記ネットワーク側機器が、前記システム情報を、前記端末に送信することは、前記ネットワーク側機器が、前記システム情報を、前記端末に送信することを含むことを特徴とする
請求項１１に記載の方法。
【請求項１３】
前記専用制御シグナリングは、測定報告を含み、前記測定報告は、前記端末が前記ターゲットネットワーク側機器の隣接セルを測定した測定結果を含み、前記隣接セルは、前記ターゲットネットワーク側機器のセルを含むことを特徴とする
請求項１２に記載の方法。
【請求項１４】
システム情報伝送装置であって、
命令が記憶されるメモリと、
前記命令を実行し、請求項１〜１０のいずれか１項に記載の方法を実現するように構成されるプロセッサと、を含む、
システム情報伝送装置。
【請求項１５】
システム情報伝送装置であって、
命令が記憶されるメモリと、
前記命令を実行し、請求項１１〜１３のいずれか１項に記載の方法を実現するように構成されるプロセッサと、を含む、
を含む、システム情報伝送装置。
【国際調査報告】
2019525520.tif 000015
2019525520.tif 000016
2019525520.tif 000017
2019525520.tif 000018